(57)【要約】      （修正有）【課題】体に関して持続的に実行しなければならない日々の作業について専門家からクライアントに対して叱咤激励して持続させるアドバイス可能なアドバイスシステムを提供する。【解決手段】アドバイス等出力装置０１００は、医師、歯科医師、獣医師等、その他体に関して持続的に実行しなければならない日々の作業について患者、その他体に関するアドバイスを受けるクライアントに対してアドバイザーの勤務地に配置され、クライアント登録部と、アドバイス登録部と、ひな型登録部と、履行状況情報を取得する履行状況情報取得部と、履行状況情報保存部と、選択部と、クライアント向情報発信部と、を備える。クライアント端末０１０１は、クライアントの住居等の浴室に隣接して鏡が備えられた脱衣室内に常設され、ログイン部と、アドバイス等取得部と、アドバイス等出力部と、クライアント側履行状況情報取得部と、履行状況情報送信部と、を有する。【選択図】図１
2019091360.tif 000002
【特許請求の範囲】
【請求項１】
医師、歯科医師、獣医師、美容師、スタイリスト、整体師、各種インストラクター、その他体に関して持続的に実行しなければならない日々の作業について後記クライアントに対してアドバイスをする専門家であるアドバイザーの勤務地に配置されるアドバイス等出力装置であって、
患者、その他体に関するアドバイスを受ける者であるクライアントの識別情報であるクライアント識別情報とクライアント端末とを登録するクライアント登録部と、
クライアント識別情報と関連付けてそのクライアントに対して発したアドバイスを登録するアドバイス登録部と、
アドバイスを含むクライアントに対する発信情報であるアドバイス等のひな型を複数登録したひな型登録部と、
クライアント端末からアドバイスで課した持続的に履行しなければならない日々の作業の履行状況を示す情報である履行状況情報を取得する履行状況情報取得部と、
取得した履行状況情報とそのクライアントに発したアドバイスとを関連付けて保存する履行状況情報保存部と、
保存されている履行状況情報に応じてひな型登録部に登録されているひな型を選択する選択部と、
選択されたひな型に基づいてクライアント端末にアドバイス等を発信するクライアント向情報発信部と、
を有するアドバイス等出力装置と、
クライアントの住居等の浴室に隣接して鏡が備えられた脱衣室内に常設されたクライアント端末であって、
クライアントとしてアドバイス等出力装置にログインするためのログイン部と、
クライアントに対するアドバイス等出力装置から出力されるアドバイス等を取得するアドバイス等取得部と、
取得したアドバイス等を出力するアドバイス等出力部と、
アドバイスに基づいて持続的に履行しなければならない日々の作業の履行状況情報を取得するクライアント側履行状況情報取得部と、
取得した履行状況情報をアドバイス等出力装置に送信する履行状況情報送信部と、
を有するクライアント端末と、
からなるアドバイスシステム。
【請求項２】
クライアント側履行状況情報取得部は、鏡に対向する人を撮影可能に設置されたカメラである請求項１に記載のアドバイスシステム。
【請求項３】
内科医等のかかりつけ医である、医学的な診断、処置、処方等が可能な有資格者であるアドバイザーの勤務地に配置されるアドバイス等出力装置であって、
患者、その他体に関するアドバイスを受ける者であるクライアントの識別情報であるクライアント識別情報とクライアント端末とを登録するクライアント登録部と、
クライアント識別情報と関連付けてそのクライアントに対して発したアドバイスを登録するアドバイス登録部と、
アドバイスを含むクライアントに対する発信情報であるアドバイス等のひな型を複数登録したひな型登録部と、
クライアント端末からアドバイスで課した持続的に履行しなければならない日々の作業の履行状況を示す情報である履行状況情報を取得する履行状況情報取得部と、
取得した履行状況情報とそのクライアントに発したアドバイスとを関連付けて保存する履行状況情報保存部と、
保存されている履行状況情報に応じてひな型登録部に登録されているひな型を選択する選択部と、
選択されたひな型に基づいてクライアント端末にアドバイス等を発信するクライアント向情報発信部と、
を有するアドバイス等出力装置と、
クライアントの住居等のトイレ内に常設されたクライアント端末であって、
クライアントとしてアドバイス等出力装置にログインするためのログイン部と、
クライアントに対するアドバイス等出力装置から出力されるアドバイス等を取得するアドバイス等取得部と、
取得したアドバイス等を出力するアドバイス等出力部と、
アドバイスに基づいて持続的に履行しなければならない日々の作業の履行状況情報（日々の服薬や食生活等を反映した便尿から取得される生体情報を含む）を取得するクライアント側履行状況情報取得部と、
取得した履行状況情報をアドバイス等出力装置に送信する履行状況情報送信部と、
を有するクライアント端末と、
からなるアドバイスシステム。
【請求項４】
クライアント側履行状況情報取得部は、便器に設置されたセンサーである請求項３に記載のアドバイスシステム。
【請求項５】
クライアント端末のアドバイス等出力部は、
ディスプレイを備えている請求項１から請求項４のいずれか一に記載のアドバイスシステム。
【請求項６】
アドバイス等出力装置の前記ひな型登録部は、アドバイス等のひな型としてコンテンツを登録したコンテンツ登録手段を有する請求項５に記載のアドバイスシステム。
【請求項７】
クライアント端末は、
アドバイス等の要求であるアドバイス等要求を受け付けるアドバイス等要求受付部と、
受け付けたアドバイス等要求に基づいたアドバイス等出力装置の選択部に選択をさせるための選択情報をアドバイス等出力装置に出力する選択情報出力部と、
を有し、
アドバイス等出力装置は、選択情報を受信する選択情報受信部と、
受信した選択情報に基づいて選択部を制御する制御部と、
を有する請求項１から請求項６のいずれか一に記載のアドバイスシステム。
【請求項８】
体に対して持続的に実行する前記作業に関連する装置であって、
履行状況情報を自身に対するクライアントの動作に基づいて生成する履行状況情報生成部と、
生成された履行状況情報をクライアント端末の履行状況情報取得部に出力する履行状況情報出力部と、
を有する作業関連装置。
【請求項９】
ＩｏＴ機能を有する請求項８に記載の作業関連装置。
【発明の詳細な説明】
【技術分野】
【０００１】
本発明は、アドバイスシステムに関し、ネットワークに接続されたクライアント端末に対して専門家から遠隔地に配置されるサーバを介してアドバイスするのに好適なアドバイスシステムに関するものである。
【背景技術】
【０００２】
従来、ネットワークに接続されたクライアント端末に対して専門家から遠隔地に配置されるサーバを介してアドバイスするアドバイスシステムが提案されている。そのようなアドバイスシステムの例としては、例えば、クライアントが化粧アドバイザー、美容師、スタイリストの専門家から「自己の容姿に関するアドバイス」を遠隔からほぼリアルタイムに得ることができる容姿アドバイス受信システム（容姿アドバイス提供システム）が挙げられる（特許文献１）
【０００３】
また、他のアドバイスシステムの例としては、ネットワークを介して接続されるクライアント端末に美容または健康に関するアドバイス情報を提供するアドバイス提供装置が挙げられる（特許文献２）。この特許文献２では、複数のクライアント端末とアドバイスサーバと複数のフェイシャル装置とがネットワークを介して接続された美容健康アドバイスシステムが開示されている。
【先行技術文献】
【特許文献】
【０００４】
【特許文献１】特開２００１−７８１７８号公報
【特許文献２】特開２００２−２０７８２７号公報
【発明の概要】
【発明が解決しようとする課題】
【０００５】
上記特許文献１では、クライアントが、明日又は今日のデート、お見合い、会社の面接、冠婚葬祭などのために髪型、化粧、服装などの容姿をどうしたらよいかを迷っているときに、ほぼリアルタイムに、各種専門家から容姿に関するアドバイスを遠隔から受信することができるが、ある特定のイベントに対応するアドバイスシステムであった。体に関して持続的に実行しなければならない日々の作業について専門家からクライアントに対してアドバイスするものではなかった。
【０００６】
上記特許文献２では、クライアント端末に対するアドバイスはアドバイスサーバとフェイシャル装置から行うものであり、体に関して持続的に実行しなければならない日々の作業について専門家からクライアントに対してアドバイスするものではなかった。
【０００７】
そこで、本発明においては、クライアントから履行状況情報を取得し、体に関して持続的に実行しなければならない日々の作業について専門家からクライアントに対して叱咤激励して持続させるアドバイス可能なアドバイスシステムを提供することを目的とする。
【課題を解決するための手段】
【０００８】
上記課題を解決するために本発明において、以下のアドバイスシステムを提供する。すなわち、第一の発明として、医師、歯科医師、獣医師、美容師、スタイリスト、整体師、各種インストラクター、その他体に関して持続的に実行しなければならない日々の作業について後記クライアントに対してアドバイスをする専門家であるアドバイザーの勤務地に配置されるアドバイス等出力装置であって、患者、その他体に関するアドバイスを受ける者であるクライアントの識別情報であるクライアント識別情報とクライアント端末とを登録するクライアント登録部と、クライアント識別情報と関連付けてそのクライアントに対して発したアドバイスを登録するアドバイス登録部と、アドバイスを含むクライアントに対する発信情報であるアドバイス等のひな型を複数登録したひな型登録部と、クライアント端末からアドバイスで課した持続的に履行しなければならない日々の作業の履行状況を示す情報である履行状況情報を取得する履行状況情報取得部と、取得した履行状況情報とそのクライアントに発したアドバイスとを関連付けて保存する履行状況情報保存部と、保存されている履行状況情報に応じてひな型登録部に登録されているひな型を選択する選択部と、選択されたひな型に基づいてクライアント端末にアドバイス等を発信するクライアント向情報発信部と、を有するアドバイス等出力装置と、クライアントの住居等の浴室に隣接して鏡が備えられた脱衣室内に常設されたクライアント端末であって、クライアントとしてアドバイス等出力装置にログインするためのログイン部と、クライアントに対するアドバイス等出力装置から出力されるアドバイス等を取得するアドバイス等取得部と、取得したアドバイス等を出力するアドバイス等出力部と、アドバイスに基づいて持続的に履行しなければならない日々の作業の履行状況情報を取得するクライアント側履行状況情報取得部と、取得した履行状況情報をアドバイス等出力装置に送信する履行状況情報送信部と、を有するクライアント端末と、からなるアドバイスシステム（請求項１対応）。
【０００９】
前記特徴に加え、クライアント側履行状況情報取得部は、鏡に対向する人を撮影可能に設置されたカメラである（請求項２対応）。
【００１０】
第二の発明として、内科医等のかかりつけ医である、医学的な診断、処置、処方等が可能な有資格者であるアドバイザーの勤務地に配置されるアドバイス等出力装置であって、患者、その他体に関するアドバイスを受ける者であるクライアントの識別情報であるクライアント識別情報とクライアント端末とを登録するクライアント登録部と、クライアント識別情報と関連付けてそのクライアントに対して発したアドバイスを登録するアドバイス登録部と、アドバイスを含むクライアントに対する発信情報であるアドバイス等のひな型を複数登録したひな型登録部と、クライアント端末からアドバイスで課した持続的に履行しなければならない日々の作業の履行状況を示す情報である履行状況情報を取得する履行状況情報取得部と、取得した履行状況情報とそのクライアントに発したアドバイスとを関連付けて保存する履行状況情報保存部と、保存されている履行状況情報に応じてひな型登録部に登録されているひな型を選択する選択部と、選択されたひな型に基づいてクライアント端末にアドバイス等を発信するクライアント向情報発信部と、を有するアドバイス等出力装置と、クライアントの住居等のトイレ内に常設されたクライアント端末であって、クライアントとしてアドバイス等出力装置にログインするためのログイン部と、クライアントに対するアドバイス等出力装置から出力されるアドバイス等を取得するアドバイス等取得部と、取得したアドバイス等を出力するアドバイス等出力部と、アドバイスに基づいて持続的に履行しなければならない日々の作業の履行状況情報（日々の服薬や食生活等を反映した便尿から取得される生体情報を含む）を取得するクライアント側履行状況情報取得部と、取得した履行状況情報をアドバイス等出力装置に送信する履行状況情報送信部と、を有するクライアント端末と、からなるアドバイスシステム（請求項３対応）。
【００１１】
前記特徴に加え、クライアント側履行状況情報取得部は、便器に設置されたセンサーである（請求項４対応）。
【００１２】
前記特徴に加え、クライアント端末のアドバイス等出力部は、ディスプレイを備えている（請求項５対応）。
【００１３】
前記特徴に加え、アドバイス等出力装置の前記ひな型登録部は、アドバイス等のひな型としてコンテンツを登録したコンテンツ登録手段を有する（請求項６対応）。
【００１４】
前記特徴に加え、クライアント端末は、アドバイス等の要求であるアドバイス等要求を受け付けるアドバイス等要求受付部と、受け付けたアドバイス等要求に基づいたアドバイス等出力装置の選択部に選択をさせるための選択情報をアドバイス等出力装置に出力する選択情報出力部と、を有し、アドバイス等出力装置は、選択情報を受信する選択情報受信部と、受信した選択情報に基づいて選択部を制御する制御部と、を有する。
【００１５】
第三の発明として、体に対して持続的に実行する前記作業に関連する装置であって、履行状況情報を自身に対するクライアントの動作に基づいて生成する履行状況情報生成部と、生成された履行状況情報をクライアント端末の履行状況情報取得部に出力する履行状況情報出力部と、を有する作業関連装置（請求項８対応）。
【００１６】
前記特徴に加え、ＩｏＴ機能を有する作業関連装置（請求項９対応）。
【発明の効果】
【００１７】
本発明の構成によれば、クライアントから持続的に実行しなければならない日々の作業についてクライアントに過度の負担をかけることなく履行状況情報を取得でき、体に関して持続的に実行しなければならない日々の作業について専門家からクライアントに対して叱咤激励して持続させるアドバイスを可能とするアドバイスシステムを提供することができる。
【図面の簡単な説明】
【００１８】
【図１】実施形態１のアドバイスシステムの機能ブロック図
【図２】実施形態１のアドバイスシステムの登録インターフェース画面例を示す図
【図３】実施形態１のアドバイスシステムのアドバイス登録インターフェース画面例を示す図
【図４】実施形態１のアドバイスシステムのひな型登録部の一例を示す図
【図５】実施形態１のアドバイスシステムのクライアント端末の表示例を示す図
【図６】実施形態１のアドバイスシステムのアドバイザーが歯科医師の処理フローチャート
【図７】実施形態１のアドバイスシステムを歯科疾患治療に適用したシステム構成図
【図８】実施形態１のアドバイスシステムのひな型登録部の他の例を示す図
【図９】実施形態１のアドバイスシステムのデータ送受信インターフェース画面例を示す図
【図１０】実施形態１のアドバイスシステムのデータ受信インターフェース画面例を示す図
【図１１】実施形態１のアドバイスシステムにおけるアドバイス等出力装置のハードウェア構成例を示す図
【図１２】実施形態１のアドバイスシステムにおけるクライアント端末のハードウェア構成例を示す図
【図１３】実施形態１のアドバイスシステムの処理フローチャート
【図１４】実施形態２のアドバイスシステムの機能ブロック図
【図１５】実施形態２のアドバイスシステムの鏡にカメラが設置された例を示す図
【図１６】実施形態２のアドバイスシステムにおけるクライアント端末のハードウェア構成例を示す図
【図１７】実施形態２のアドバイスシステムの処理フローチャート
【図１８】実施形態３のアドバイスシステムの機能ブロック図
【図１９】実施形態３のアドバイスシステムにおけるアドバイス等出力装置のハードウェア構成例を示す図
【図２０】実施形態３のアドバイスシステムの処理フローチャート
【図２１】実施形態４のアドバイスシステムの機能ブロック図
【図２２】実施形態４のアドバイスシステムおけるクライアント端末のハードウェア構成例を示す図
【図２３】実施形態４のアドバイスシステムの処理フローチャート
【図２４】実施形態５のアドバイスシステムの機能ブロック図
【図２５】実施形態５のアドバイスシステムにおけるクライアント端末のハードウェア構成例を示す図
【図２６】実施形態５のアドバイスシステムの処理フローチャート
【図２７】実施形態６のアドバイスシステムの機能ブロック図
【図２８】実施形態６のアドバイスシステムにおけるアドバイス等出力装置のハードウェア構成例を示す図
【図２９】実施形態７のアドバイスシステムの機能ブロック図
【図３０】実施形態７のアドバイスシステムにおけるアドバイス等出力装置のハードウェア構成例を示す図
【図３１】実施形態７のアドバイスシステムにおけるアドバイス等出力装置のハードウェア構成例を示す図
【図３２】実施形態７のアドバイスシステムの処理フローチャート
【図３３】実施形態８の作業関連装置の機能ブロック図
【図３４】実施形態８の作業関連装置のハードウェア構成例を示す図
【図３５】実施形態８の作業関連装置を含むアドバイスシステムの処理フローチャート
【図３６】実施形態９のＩｏＴ機能を有する作業関連装置の機能ブロック図
【図３７】実施形態９の作業関連装置のハードウェア構成例を示す図
【図３８】実施形態９の作業関連装置を含むアドバイスシステムの処理フローチャート
【発明を実施するための形態】
【００１９】
以下、本発明の実施形態について、図を用いて説明する。なお、本発明の内容は、以下の実施形態にのみ限定されるものではなく、本発明の要旨を逸脱しない範囲内において、種々なる態様で実施しうる。
【００２０】
なお、以下に記載する本装置の機能ブロックは、ハードウェア及びソフトウェアの組み合わせとして実現され得る。具体的には、コンピュータを利用するものであれば、ＣＰＵ（中央演算装置）や主メモリ、システムバス、あるいは二次記憶装置（ハードディスクドライブや不揮発性メモリ、ＣＤやＤＶＤなどの記憶メディアとそれらメディアの読取ドライブなど）、情報入力に利用される入力デバイス、表示装置、その他の外部周辺装置などのハードウェア構成部、例えばユニットバス、脱衣室、更衣室、トイレ、便器、鏡、ディジタルミラー（ディジタルの鏡）、カメラ、センサー、歯ブラシ、櫛（くし）、トレーニングマシン、マイク、スピーカまたその外部周辺装置用のインターフェース、ネットワークインターフェース、ディスプレイインターフェース、ディスクインターフェース、キーボードインターフェース、センサー入力インターフェース、タッチ入力インターフェース、画像入力インターフェース、音声入力インターフェース、ソフトウェアキーボードインターフェース、それらハードウェアを制御するためのドライバプログラムやその他アプリケーションプログラム、クライアント・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本装置の機能ブロックは専用ハードウェアによって実現されてもよい。また、本装置は一つのハードウェアやソフトウェアにより構成される場合に限られず、複数のハードウェアやソフトウェアの組み合わせによって構成されてもよく、ネットワークを介在したサーバ装置を含んで構成されてもよい。
【００２１】
また、この発明は装置として実現できるのみでなく、方法としても実現可能である。また、このような発明の一部をソフトウェアとして構成することができる。さらに、そのようなソフトウェアをコンピュータに実行させるために用いるプログラム、及びプログラムを固定した記録媒体も、当然にこの発明の技術的な範囲に含まれる（本明細書の全体を通じて同様である）。
＜実施形態１＞
＜実施形態１  概要＞
【００２２】
本実施形態１の発明は、医師、歯科医師、獣医師、美容師、スタイリスト、整体師、各種インストラクター、その他体に関して持続的に実行しなければならない日々の作業について後記クライアントに対してアドバイスをする専門家であるアドバイザーの勤務地に配置されるアドバイス等出力装置と、クライアントの住居等の浴室に隣接して鏡が備えられた脱衣室内に常設されたクライアント端末からなるアドバイスシステムである。そして、アドバイス等出力装置はネットワーク（インターネット、ブロードバンド、モバイルネットワーク等も含まれる）を介して接続されている。例えば専門家である歯科医師がアドバイザーとなって、患者であるクライアントの歯科疾患の治療効果を得るため、アドバイス等出力装置からクライアント端末を介して、家庭でも日々持続的に行う歯磨き等の必要な努力を持続させるように専門家のアドバイザーが励ます（叱咤激励する）システムを構成している。ここで、クライアント端末は、浴室に隣接した脱衣室に常設されている。
＜実施形態１  構成＞
【００２３】
図１に示すように、実施形態１のアドバイスシステムは、体に関して持続的に実行しなければならない日々の作業について後記クライアントに対してアドバイスをする専門家であるアドバイザーの勤務地に配置されるアドバイス等出力装置０１００であって、クライアント登録部０１１０と、アドバイス登録部０１１１と、ひな型登録部０１１２と、履行状況情報取得部０１１３と、履行状況情報保存部０１１４と、選択部０１１５と、クライアント向情報発信部０１１６と、を有するアドバイス等出力装置０１００と、クライアントの住居等の浴室に隣接して鏡が備えられた脱衣室内に常設されたクライアント端末０１０１であって、ログイン部０１２０と、アドバイス等取得部０１２１と、アドバイス等出力部０１２２と、クライアント側履行状況情報取得部０１２３と、履行状況情報送信部０１２４と、を有するクライアント端末０１０１と、からなる。
＜実施形態１  構成の説明＞
＜実施形態１  アドバイス等出力装置＞
【００２４】
「アドバイス等出力装置」０１００は、医師、歯科医師、獣医師、美容師、スタイリスト、整体師、各種インストラクター、その他体に関して持続的に実行しなければならない日々の作業について後記クライアントに対してアドバイスをする専門家であるアドバイザーの勤務地に配置される。アドバイス等出力装置０１００は、インターネット、ブロードバンド等のネットワーク０１０３を介して接続されている。「体に関して持続的に実行しなければならない日々の作業」とは、例えば専門家が歯科医師であれば、歯周病患者が毎日歯みがきを行う作業をいう。医師が内科医であれば、かぜの患者が処方した薬を治療中の間、毎日飲んでいるか等の作業をいう。獣医師であれば、けがをした犬、猫などのペットに処方したぬり薬を治療中の間、毎日患部に塗っている等の作業をペットの飼い主とともに確認する作業をいう。美容師であれば、クライアントから依頼を受けているその美容師のクライアントが髪の手入れや肌の手入れをしているか等の日々の作業をいう。整体師であれば、腰痛などの患者に対して整体師が推奨した体操を日々持続的に自宅でもしているか等の作業をいう。スタイリストであれば、お付きの芸能人の毎日の外出時のスタイルチェックの作業をいう。ヨガ教室のインストラクターであれば、その教室の生徒が鏡に向かって毎日のヨガの体操等の作業をいう。
＜実施形態１  クライアント登録部＞
【００２５】
「クライアント登録部」０１１０は、患者、その他体に関するアドバイスを受ける者であるクライアントの識別情報であるクライアント識別情報とクライアント端末とを登録する。患者とは、アドバイザーが医師、歯科医師、獣医師等の患者（獣医師の場合はペット等）のことをいう。その他体に関するアドバイスを受ける者とは、アドバイザーが美容師、スタイリスト、整体師、各種インストラクター（ヨガインストラクター、スポーツインストラクター、ダイエットインストラクター等）の指導を受けるものをいう。これらの患者や体に関するアドバイスを受ける者をクライアントとしてクライアント識別情報とクライアント端末を登録する。
【００２６】
図２に示すように、クライアントの登録は、「クライアント名」：山川太郎、「クライアント識別情報」：Ｄ０１３６８７３、「クライアント端末」：０８０−４１５８−６３００などが登録される。クライアント端末とは、例えば鏡を備えている洗面ユニットに内蔵されているコンピュータ、スマホ、携帯電話、ディジタルミラー（鏡を内蔵したディスプレイに自分の顔、体等の容姿を映し、録画機能を持っているもの）が挙げられる。ディジタルミラーがネットワーク通信機能を有している場合は、そのディジタルミラーの端末番号をクライアント端末として登録する。また、ディジタルミラーがネットワーク通信機能を有していない場合はスマホや携帯電話を介してネットワーク１０３に接続される。
＜実施形態１  アドバイス登録部＞
【００２７】
「アドバイス登録部」０１１１は、クライアント識別情報と関連付けてそのクライアントに対して発したアドバイスを登録する。
例えば、図３に示すように、クライアントがダイエットインストラクターの指導を受けている場合、クライアント識別情報「Ｄ０１３６８７３」、アドバイスとして、「炭水化物の摂りすぎに注意しましょう。」、「肉・魚を多めに摂りましょう。」、「できるだけ運動をしましょう。」が登録される。これらが達成目標ないしは努力目標となり、持続的に履行しなければならない行為そのもの、ないしは、間接的な行為を持続的に履行することで達成すべき目標となる。例えば、「炭水化物の取りすぎに注意しましょう。」というアドバイスの場合には、ごはん、パン、麺類、粉もの（たこ焼き、お好み焼き、ピザ、ホットケーキなど）、根菜類（大根、ジャガイモ、ごぼう、サトイモ、ニンジン、キャベツの根本）などの多く炭水化物を含有する食品の摂取量を従来より減らすことが持続的な履行行為となる。同じく「肉・魚を多めに取りましょう。」というアドバイスの場合には、牛肉、豚肉、鶏肉、羊肉、鹿肉、鯨肉などや、さんま、かつお、まぐろ、いわし、さば、たい、たこ、いか、ほっけ、サーモン、あじ、などを多く摂取することが持続的な履行行為となる。
【００２８】
「できるだけ運動をしましょう。」というアドバイスの場合には、例えば、階段をできるか使う、タクシーを利用する回数を減らす、一駅前で降りて歩く、縄跳びをする、腹筋運動をする、腕立て伏せをする、スポーツジムに通う、などが持続的な履行行為となる。そして、これらは間接的ながら体重計、体脂肪計、ないしは、裸の体の体形、体の色つや、顔の表情、体温、などを観察することで履行の状況が確認される。例えば炭水化物の摂取量を持続的に減らせば体重は軽減し、鏡に映る体形もしまったものになってくるので、カメラなどの観察によって確認可能であり、また、体重計や、体脂肪計などによって確認可能である。肉・魚を多めにとることの効果、運動をすることの効果も同様である。
＜実施形態１  ひな型登録部＞
【００２９】
「ひな型登録部」０１１２は、アドバイスを含むクライアントに対する発信情報であるアドバイス等のひな型を複数登録している。
図４に示すように、ひな型の例としては、「ダイエット」、「かぜ」、「胃腸」、「筋肉痛」、「かたこり」、「頭痛」などのメニューが挙げられる。「ダイエット」メニューのひな型のアドバイスとしては、「Ｄ１  頑張ってますネ。その調子で行きましょう。」、「Ｄ２  調子が出てきました。その習慣を保って！」、「Ｄ３  調子はどうですか？」、「Ｄ  もうひと頑張りしましょう！」、「Ｄ５  ちょっと足りませんネ！」、「Ｄ６  まだまだ頑張りますか？」、「Ｄ７  もっと頑張りましょう！」、「Ｄ８・・・・・」が挙げられる。またさらに具体的に、「炭水化物の摂りすぎに注意しましょう。」の場合には、「ごはんを減らした効果は出ているようです。」、「麺類も我慢できていますか？」、「パンはふすまパンにしましょう。」、「カロリーは問題になりません。我慢しないで肉類はとりましょう。」など、最初のアドバイスに関連性が高いアドバイスが登録されるとなおクライアントに対する説得力がでる。
【００３０】
このようなより具体的なアドバイスがひな形として準備されている。例えば、「炭水化物」というキーワードと、「摂りすぎに注意」というキーワードが含まれる最初のアドバイスに対して継続的に出力されるアドバイスとしては、アドバイスシステム側で「炭水化物」の下位概念を辞書として持っており、ランダムにその辞書から下位概念を選択して、「摂りすぎに注意していますか？」というおうむ返しのアドバイスを自動生成するように構成することも可能である。この場合には、文章解析エンジンを利用して相手に促す行為、その行為の下位概念などを算出し、あらかじめ準備されているアドバイス生成ルールに従って自動生成するように構成できる。このような場合には、最初のアドバイスは定型的にアドバイスシステムに準備されている文章でなく、医師などのアドバイザーの自然言語で構成される文章であってもよい。文章を形態素解析することで文脈を取得し、適切な連続するアドバイスを作成できるからである。
＜実施形態１  履行状況情報取得部＞
【００３１】
「履行状況情報取得部」０１１３は、クライアント端末からアドバイスで課した持続的に履行しなければならない日々の作業の履行状況を示す情報である履行状況情報を取得する。
例えば、図４に示したようなアドバイスに対してクライアントが日々の作業の履行状況を示す情報を取得する。履行状況情報とは、例えばダイエットに関する持続的な履行義務が課せられている場合には、クライアントの裸の体形を観察して履行状況情報を取得する。また、音声による質問に対する回答をクライアントの発話から取得して履行状況情報を取得するように構成してもよい。例えば近年はやりのＡＩスピーカ（スマートスピーカともいう。以下同じ。）などを利用して履行状況情報を取得するように構成してもよい。このＡＩスピーカは例えば浴室に隣接した脱衣室に備えられていると都合がよい。
【００３２】
また、体形情報はカメラで取得されるが、ＡＩ画像診断によって体重や脂肪量が観察されるように構成してもよい。体重は体についた筋肉量や脂肪量を推定することで画像から解析可能である。筋肉量や、脂肪量は、あばら骨の出具合、体の幅、腰からおなかにかけてのベルト状脂肪の形状、おへその部分の出具合、顔の両ほほのこけ具合、顔の輪郭線のシャープさ、など多数のサンプルに基づいて学習した画像学習結果に基づいて体重や脂肪量を推定できる。この場合のＡＩ画像診断機能は、クライアント端末側にあってもよいし、アドバイス等出力装置側にあってもよいし、第三の装置としてネットワークに連結されたサーバ装置にあってもよい。なお、この明細書全体を通じて同様であるが、アドバイス等出力装置は、アドバイザーの勤務地に設置されるが、全体が必ずしも設置されることなく、一部が設置され、残部が他の場所に設置されるような構成であることを妨げない。例えばセンターサーバに高度な機能が集約され、アドバイザーの勤務地に設置される機能はインターフェース機能のみであるような場合も含まれる。従って、アドバイス等出力装置は、少なくともその一部がアドバイザーの勤務地に設置されていれば本件発明の構成を満たすものとする。
＜実施形態１  履行状況情報保存部＞
【００３３】
「履行状況情報保存部」０１１４は、取得した履行状況情報とそのクライアントに発したアドバイスとを関連付けて保存する。クライアント識別情報で識別されるクライアント毎に履行状況情報取得部０１１３より取得した履行状況情報とそのクライアントに発したアドバイスとを関連付けて保存する。例えば、ダイエット指導を受けている場合は、履行状況情報としては、体成分分析、骨格筋・脂肪、肥満評価、筋肉バランスなどが挙げられる。さらに、体成分分析では、細胞内水分量、細胞外水分量、タンパク質量、ミネラル量、体脂肪量などがある。骨格筋・脂肪では、体重、骨格筋量、体脂肪量などがある。肥満評価では、ＢＭＩ、体脂肪率、ウェスト・ヒップ比などがある。筋肉バランスでは、右腕、左腕、体幹、右脚、左脚などがある。これらはカメラによる観察で大まかに情報取得できるし、なお体組成計を用いるとさらに正確に情報取得できる。図５に示すように、クライアント端末にアドバイスとして、「大分体型が良くなりました。その調子で頑張りましょう！」が表示され、履行状況情報として「ＢＭＩ２２．０、体重６９．５ｋｇ、筋量ＯＫ」などが表示され、これらの情報がクライアント端末からアドバイス等出力装置に送信される。その情報を保存する。
＜実施形態１  選択部＞
【００３４】
「選択部」０１１５は、保存されている履行状況情報に応じてひな型登録部０１１２に登録されているひな型を選択する。履行状況保存部０１１４に保存されている履行状況に応じてアドバイスするひな型を選択してクライアントを励ますようにする。例えばカメラによる体形観察で体形を数値化し、その数値範囲ごとに予め選択すべき雛形を定める雛形選択ルールを用いることで実現できる。体成分分析、骨格筋・脂肪、肥満評価、筋肉バランスなどが挙げられる。さらに、体成分分析では、細胞内水分量、細胞外水分量、タンパク質量、ミネラル量、体脂肪量などがある。骨格筋・脂肪では、体重、骨格筋量、体脂肪量などがある。肥満評価では、ＢＭＩ、体脂肪率、ウェスト・ヒップ比などがある。筋肉バランスでは、右腕、左腕、体幹、右脚、左脚などについて同様である。
＜実施形態１  クライアント向情報発信部＞
【００３５】
「クライアント向情報発信部」０１１６は、選択されたひな型に基づいてクライアント端末にアドバイス等を発信する。クライアント向情報発信部０１１６により選択部０１１５で選択されたひな型に基づいてネットワーク０１０３を介してクライアント端末０１０１にアドバイスを発信する。ひな型は何も加工せずにそのまま発信されてもよいし、適宜、状況に応じて加工されて発信されるように構成しもよい。例えばひな型には宛名部分が空白状態で発信先のクライアントの名前やニックネームがそこに埋め込まれて発信されるようにしてもよいし、言語を自動翻訳してひな型の言語と異なる言語で発信してもよい。さらには、方言に置き換えて発信してもよい。また、ひな型として選択される文章は一つである必要はなく、複数のひな型を選択して適宜並べて文章として発信してもよい。またひな型はアドバイス等であり、文章だけでなく、絵文字、写真、絵、音声、ムービー、振動、香りの情報（クライアント端末が香りを発生する機能を有している場合）、コード情報（二次元コード、一元コード、数字コード、三次元コード）、チケット（例えば、健康施設のチケット、スポーツ観戦のチケット、病院のチケットなど）などを含むもの、あるいはこれらのいずれか単独であってもよい。文章のひな型を加工するための情報としては、季節情報、時間情報、場所情報、天候情報、ニュース情報（政治、経済、科学、文芸、エンターテイメント、趣味、娯楽、科学技術など）などである。例えば、季節情報や天候情報の場合には、「寒くなってきました。」「体調はどうでしょうか？（ひな型部分）」などと、ひな型の冒頭を加工するように利用できる。またクライアント端末がＳＮＳを利用しているような場合にはＳＮＳ内で取得される情報をひな型を加工する情報として利用するように構成してもよい。
＜実施形態１  クライアント端末＞
【００３６】
「クライアント端末」０１０１は、クライアントの住居等の浴室に隣接して鏡が備えられた脱衣室内に常設されたクライアント端末である。ここで、住居等とは、クライアントの住居以外の宿泊施設等の浴室に隣接して鏡が備えられた脱衣室も含まれる。クライアント端末０１０１の一例としては、スマホ、携帯電話、タブレットＰＣ、ノートＰＣ、パソコン、ＡＩスピーカ、洗面ユニットに内蔵されるコンピュータ等を挙げることができる。なお、スマホ、携帯電話、タブレットＰＣ、ノートＰＣの場合には洗面ユニットに専用の配置スペースを設けることが好ましい。宿泊施設に設置された場合には汎用装置としてクライアント端末が機能するので、クライアントは自身のユニークなログイン情報を利用して自身に特化した履行状況情報を送信し、また自身に特化したアドバイスを受け取ることができる。
＜実施形態１  ログイン部＞
【００３７】
「ログイン部」０１２０は、クライアントとしてアドバイス等出力装置０１００にログインする。クライアント端末０１０１はネットワーク０１０３を介してログイン部０１２０によりアドバイス等出力装置０１００にログインする。アドバイス等出力装置０１００にクライアントとして上述したような登録作業があらかじめ完了している必要がある。このシステムで利用されるアドバイス情報は個人情報を含むものであり、他人にのぞき見されることは好ましくない。従って、ログインにより本人認証がされることを前提としている。なお、ログインは毎回ユニーク情報の手入力を必要としてもよいが、ユニーク情報は登録しておき、自動ログイン機能を用いられるように構成してもよい。ログアウトに関してはマニュアルログアウトにしてもよいし、履行状況情報のアドバイス等出力装置に対する出力と、これに応じたアドバイスの受信が完了した時点で自動ログアウトするように構成するとよい。
＜実施形態１  アドバイス等取得部＞
【００３８】
「アドバイス等取得部」０１２１は、クライアントに対するアドバイス等出力装置０１００から出力されるアドバイス等を取得する。クライアント向情報発信部０１１６から発信されたアドバイス等を取得する。
＜実施形態１  アドバイス等出力部＞
【００３９】
「アドバイス等出力部」０１２２は取得したアドバイス等を出力する。アドバイス等出力部０１２２では、クライアント端末０１００の表示部やディジタルミラー等の鏡０１０２にアドバイス等を表示する。なおＡＩスピーカの場合にはアドバイス等出力は音声出力となる。もちろん、音声と画像、音声と映像（動画）のミックスであってもよい。またアドバイス等にはアドバイスそのものでなく、付随的な情報、例えば履行状況情報の分析結果や履行状況情報そのもの、さらには、アドバイスが完遂された場合のクライアントの様子をシミューレーションした映像や画像などを表示するように構成してもよい。さらにアドバイス等出力部はプリンターのようなものであってもよく、通常の紙出力の他、専用の用紙に対する出力をするもの、あるいは３Ｄプリンターのようなものであってもよい。前述のとおり、香りを出力したり、振動を出力するように構成してもよい。
＜実施形態１  クライアント側履行状況情報取得部＞
【００４０】
「クライアント側履行状況情報取得部」０１２３はアドバイスに基づいて持続的に履行しなければならない日々の作業の履行状況情報を取得する。クライアント側履行状況情報取得部０１２３では、クライアントから日々の作業の履行状況情報を手動入力、自動入力等により取得する。手動入力の場合は、表示画面に表示された選択メニューを選択したり、音声入力等により入力する。自動入力の場合はクライアントの情報を生体計測センサーで測定したり、画像入力インターフェースによりクライアントを撮影することにより取得できる。具体的には最もクライアントに対する負荷が少ないものとしてカメラによる画像、映像取得によって履行状況情報を取得することが考えられる。またその他、体重計、体組成計、スマートフォンなどに記録されている歩数計情報、その他、その日に食した食事のスマートフォンなどに記録されている写真、画像、映像、あるいはＧＰＳによって取得される立ち寄り先にて食するであろうと予測される食事の内容、ＧＰＳによって取得される移動距離又は、移動に費やしたカロリー消費量、スマートフォンの近距離無線通信を利用してコンビニエンスストアなどで購入した食品、飲料のカロリー、食品成分などの情報を取得するように構成する。
さらにクライアント端末でＳＮＳを利用できるような場合にはＳＮＳ内の情報を履行状況情報として取得するように構成してもよい。ＳＮＳ内の情報とは、日々の活動状況を示す情報、日々の飲食に関する情報、日々の睡眠に関する情報などである。ＳＮＳ内の情報をＡＩなどによって分析して利用できる情報を抽出するように構成し、これを取得するように構成できる。
＜実施形態１  履行状況情報送信部＞
【００４１】
「履行状況情報送信部」０１２４は取得した履行状況情報をアドバイス等出力装置０１００に送信する。クライアント側履行状況情報取得部０１２３で取得した履行状況情報は、履行状況情報送信部０１２４からネットワーク０１０３を介してアドバイス等出力装置０１００に送信される。
＜実施形態１  アドバイザーが歯科医師による歯科治療アドバイス＞
【００４２】
図６に示すように、アドバイザーが歯科医師の場合の処理フローについて説明する。
まず、歯に不具合を感じるクライアントＡが歯科医師のもとを訪れ、現状を説明し、歯科医師は診断と、アドバイスとして日常的に自宅ですべき歯磨きの仕方を説明する（ステップ０６０１）。
【００４３】
次に、歯科医師は、あらかじめ準備されたアドバイスの類型の中からクライアントＡに対して行ったアドバイスパターンをアドバイス等出力装置にて選択し、クライアントＡと選択したアドバイスパターンとを関連付ける（ステップ０６０２）。
【００４４】
上記関連付けにより、後に毎日取得されるクライアントＡの歯磨きの履行状況情報に応じてどのようなアドバイスをすべきかがあらかじめひな型群が準備されているので、履行状況情報に応じていつでも適切なひな型を選択してそのまま、ないしはこれを加工してアドバイスとし、アドバイスをクライアントＡのクライアント端末に出力できる準備が整う（ステップ０６０３）。
【００４５】
クライアントＡの履行状況情報は、歯磨きをする際に当然立つであろう洗面所に設置された鏡に隣接しているクライアント端末から半自動的に又は全自動的に取得される。つまり、鏡の前に立った状態で画像認識技術が機能し、動作を読み取ってどのような歯磨きをしているのか、又はしていないのかの情報がクライアント端末によって取得される。洗面所は毎日利用するのが通常なので、毎日の履行状況情報を取得すべきクライアント端末を設置する場所としては最も適している場所である（ステップ０６０４）。
【００４６】
毎日クライアント端末から歯磨きについての履行状況情報がアドバイス等出力装置に送信され、クライアントＡと関連付けられた各種アドバイスの中から、その日の履行状況情報に応じた適切なアドバイスが自動的に選択され、クライアント端末に送信される。履行状況情報は、画像認識によって歯の磨き方が適切か、必要な薬剤を利用しているか、などという観点を判断するための情報を含む（ステップ０６０５）。
【００４７】
クライアント端末から送信された履行状況情報に応じてアドバイス出力装置にて選択され送信されたアドバイスが、クライアントＡが歯磨きをしている最中、又は歯磨きを終了した直後、又は、次回の歯磨きの直前などにクライアント端末からクライアントＡに向けて出力される。これは音声が好ましいが、文字や画像、映像で出力したり、これらを混合して出力してもよい。このアドバイスには、叱咤激励、注意喚起、技術説明などを含むものでよい（ステップ０６０６）。
【００４８】
以下では、図７から図１０に基づいてアドバイザーが歯科医師による歯周疾患（歯周病）治療のアドバイスシステムについて説明する。
【００４９】
図７に示すように、アドバイス等出力装置０７０１は歯周病治療器０７０２などが備えられた歯科医院に設置されている。クライアント端末０７０３はクライアントの住居等の浴室に隣接して鏡が備えられた脱衣室内に常設されている。鏡は歯磨き等を行える洗面台等に備えられ、うがいをしたり、顔を洗ったりする水道もある。水を使用しないアドバイスの場合は鏡があれば良く、水道はなくてもよい。図７では、クライアント端末０７０３がスマートフォン０７０４と一体となった例を示しており、スマートフォン０７０４が洗面台の近くに設置されるとともに、洗面台にもクライアント端末の機能が備えられている。ここで、歯周病治療器０７０２は、近距離無線通信用のインターフェースを備えており、例えば、Ｗｉ−Ｆｉ（登録商標）、Bluetooth（登録商標）、ZigBee（登録商標）等が利用でき、低消費電力の通信を可能としている。そして、歯周病治療器０７０２はこれらの近距離無線通信用インターフェースを介して患者の治療状況を示す情報等をアドバイス等出力装置０７０１に送信することができる。アドバイス等出力装置０７０１は受信した治療状況を示す情報等やひな型から選択された文章などを患者へのアドバイスのために出力する。この出力経路は、二経路考えられる。一つは秘匿性が高く、のぞき見、情報漏洩が少ない経路であり、他の一つの経路は、秘匿性が高くなく、安価な経路である。
【００５０】
歯科医師による歯周病治療中の治療状況の情報や個人を特定されるような情報は、個人のスマートフォン０７０４経由でクライアント端末０７０３が取得する。アドバイスを秘匿性で格付けし、又は分類し、秘匿性が高い情報はスマートフォン経由でクライアント端末に取得されるように構成する。逆に秘匿性が高くない情報、例えばアドバイス情報であっても差しさわりない雑談のような文章などはクラウド経由（インターネット経由）でアドバイス等出力装置からクライアント端末に送信するように構成する。この場合にはクラウドがアドバイス情報の蓄積機能を有していてもよい。
また１回にクライアント端末から出力されるアドバイスがスマホ経由の経路とクラウド経由の経路とを分けてクライアント端末に送信され、クライアント端末内（例えば、脱衣室の化粧台ユニットに内蔵されているＰＣ）で構成されて一体として出力されるように構成してもよい。
このようなシステムは、あたかも、歯科医院がクライアントの住居内に入り込み、クライアントが歯科医院と近い環境で歯科医師による専門的なアドバイスが受けられるイメージである。患者の治療データ、カルテ情報等は、秘匿性が高いので、クライアントの承認を受けた場合だけ送るようにしてもよい。
【００５１】
歯科医師によるアドバイスを受けるために、専用のスマホアプリをスマートフォン０７０４にインストールしておき、患者はスマートフォン０７０４からスマホアプリを起動させてアドバイス等出力装置０７０１へログインする。このログインは例えばカメラに映し出される顔認証によって自動的に行われるものであってもよい。通常歯磨きをする場合には鏡に向かって行うが、鏡に顔を向けた際に、その顔写真、顔映像などを取得できるようにクライアント端末が構成されていることが好ましい。従って、クライアント端末がスマートフォンである場合には、鏡に近接して、又は鏡の裏側に設置されたカメラの画像、映像を近接無線を通じてスマートフォンに転送するように構成すると便利である。このログインにより患者は後述するアドバイスを歯科医師から受けられる。歯科疾患の患者に対するアドバイスのひな型を図８に示す。
【００５２】
図８に示すように、歯科疾患のひな型の例としては、「歯周疾患」、「う蝕」、「歯髄炎」、「抜歯」、「補綴」、「義歯」などのメニューが挙げられる。「歯周疾患」メニューのひな型のアドバイスとしては、「Ｅ１  はみがきはしましたか？」、「Ｅ２  歯を見せてください！」、「Ｅ３  口を開けて画像を送ってください！」、「Ｅ４  もっと頑張りしましょう！」、「Ｅ５  その調子です」、「Ｅ６  食後ははみがきをしましょう！」、「Ｅ７  来週病院に来てください！」、「Ｅ８  もう少しで治療が終わります！」、「Ｅ９  歯周病が完治しました！」が挙げられる。
【００５３】
図９に示すように、履行状況情報等の送信やアドバイスを受信する場合は、スマートフォン０７０４の表示部にデータ送受信の画面を表示させ、「送信ボタン」をクライアントが押すと、履行状況情報やアドバイス受信要求等をアドバイス等出力装置０７０１へ送信することができる。「受信ボタン」をクライアントが押すと、歯科医師によるアドバイスをアドバイス等出力装置０７０１から受信することができる。「終了ボタン」をクライアントが押すと、クライアント端末のアプリを終了することができる。この送信、受信はクラウド経由でもスマホ経由でもよく、情報の秘匿性に応じて自動選択されるように構成してもよい。
【００５４】
図１０に示すように、スマートフォン０７０４の表示部にデータ受信の画面を表示させ、「治療データ」、「カルテ情報」、「アドバイス情報」等の選択ボタンを選択させてそれぞれの情報を分けて受信しても良い。また、上述した例では、クライアント（患者）によるデータ送受信を選択させて行っていたが、ユーザの希望や要求により自動的に送受信を行ってもよい。情報の経路については前述と同様である。
＜実施形態１  作用：ハードウェア的構成（アドバイス等出力装置）＞
【００５５】
以下、実施形態１のアドバイスシステムの作用について説明する。
【００５６】
図１１に示すように、アドバイス等出力装置の計算機の構成は、ＣＰＵ１１０１と、ＨＤＤ、ＲＯＭ等の不揮発性メモリ１１０２と、Ｄ−ＲＡＭ等の主メモリ１１０３と、インターフェース１１０４とから構成されている。不揮発性メモリ１１０２にはクライアント登録プログラム、アドバイス登録プログラム、ひな型登録プログラム、履行状況情報取得プログラム、履行状況情報保存プログラム、選択プログラム、クライアント向情報発信プログラム等のプログラムが格納されている。データとしては、クライアント識別情報、アドバイス、アドバイザー（専門家）、ひな型、履行状況情報などがある。これらのプログラムやデータは、主メモリ１１０３の保持領域に読み込まれ、作業領域で実行される。また、インターフェース１１０４には、ネットワークインターフェース１１０５、ディスプレイインターフェース１１０６、ディスクインターフェース１１０７、キーボードインターフェース１１０８などがある。
＜実施形態１  作用：ハードウェア的構成（クライアント端末）＞
【００５７】
図１２に示すように、クライアント端末の計算機の構成は、ＣＰＵ１２０１と、ＨＤＤ、ＲＯＭ等の不揮発性メモリ１２０２と、Ｄ−ＲＡＭ等の主メモリ１２０３と、インターフェース１２０４とから構成されている。不揮発性メモリ１２０２には、ログインプログラム、アドバイス等取得プログラム、アドバイス等出力プログラム、クライアント側履行状況情報取得プログラム、履行状況情報送信プログラム等のプログラムが格納されている。データとしては、ログイン情報、アドバイス、アドバイザー（専門家）、履行状況情報などがある。これらのプログラムやデータは、主メモリ１２０３の保持領域に読み込まれ、作業領域で実行される。また、インターフェース１２０４には、ネットワークインターフェース１２０５、センサー入力インターフェース１２０６、タッチ入力インターフェース１２０７、画像入力インターフェース１２０８、音声入力インターフェース１２０９、ディスプレイインターフェース１２１０、ソフトウェアキーボードインターフェース１２１１などがある。
＜実施形態１  処理の流れ  アドバイス等出力装置＞
【００５８】
図１３左図に示すように、このようなアドバイス等出力装置の計算機の動作は、履行状況プログラムによりクライアント端末からアドバイスで課した持続的に履行しなければならない日々の作業の履行状況を示す情報である履行状況情報を取得する履行状況情報取得ステップを実行する（ステップ１３０１）。ここで、履行状況情報については上述したので、説明を省略する。
次に選択プログラムにより履行状況情報保存部に保存されている履行状況情報に応じてひな型登録部に登録されている上述したようなひな型を選択する選択ステップを実行する（ステップ１３０２）。
次にクライアント向情報発信プログラムにより選択されたひな型に基づいてクライアント端末にアドバイス等を発信するクライアント向情報発信ステップを実行する（ステップ１３０３）。クライアント向情報発信ステップ１３０３では、治療データやカルテ情報塔の個人情報を送る場合は、データの通信経路に留意する。例えば、個人情報は直接クライアント端末に送信し、個人情報が含まれない場合はクラウドネットワークを利用するなどである。
【００５９】
上述したステップを終了するまで（ステップ１３０４）、ステップ１３０１、１３０２、１３０３の処理を繰り返す。
＜実施形態１  処理の流れ  クライアント端末＞
【００６０】
図１３右図に示すように、クライアント端末側では、まずログインプログラムによりクライアントとしてアドバイス等出力装置にログインするログインステップを実行する（ステップ１３１１）。ログインステップ１３１１では、ログイン情報として、クライアントＩＤとパスワードを入力することによりアドバイス等出力装置にアクセスする。
【００６１】
次にアドバイス等取得プログラムによりクライアントに対するアドバイス等出力装置から出力されるアドバイス等を取得するアドバイス等取得ステップを実行する（ステップ１３１２）。アドバイス等については上述したので、ここでは説明を省略する。
【００６２】
次にアドバイス等出力プログラムにより取得したアドバイス等を出力するアドバイス等出力ステップを実行する（ステップ１３１３）。
【００６３】
次にクライアント側履行状況情報取得プログラムにより取得したアドバイスに基づいて持続的に履行しなければならない日々の作業の履行状況情報を取得するクライアント側履行状況情報取得ステップを実行する（ステップ１３１４）。ここで、アドバイスに基づいて持続的に履行しなければならない日々の作業の履行状況情報については上述したので、説明を省略する。
【００６４】
次に履行状況情報送信プログラムにより取得した履行状況情報をアドバイス等出力装置に送信する履行状況情報送信ステップを実行する（ステップ１３１５）。
【００６５】
このように、本実施形態１によれば、クライアントから履行状況情報を取得し、体に関して持続的に実行しなければならない日々の作業について専門家からクライアントに対して叱咤激励して持続させるアドバイス可能とするアドバイスシステムを提供することができる。
＜実施形態２＞
＜実施形態２  概要＞
【００６６】
実施形態２の発明は、実施形態１の特徴に加えて、クライアント側履行状況情報取得部は、鏡に対向する人を撮影可能に設置されたカメラであるアドバイスシステムを構成している。
＜実施形態２  構成＞
【００６７】
図１４に示すように、実施形態２のアドバイスシステムは、体に関して持続的に実行しなければならない日々の作業についてクライアントに対してアドバイスをする専門家であるアドバイザーの勤務地に配置されるアドバイス等出力装置１４００であって、クライアント登録部１４１０と、アドバイス登録部１４１１と、ひな型登録部１４１２と、履行状況情報取得部１４１３と、履行状況情報保存部１４１４と、選択部１４１５と、クライアント向情報発信部１４１６と、を有するアドバイス等出力装置１４００と、クライアントの住居等の浴室に隣接して鏡が備えられた脱衣室内に常設されたクライアント端末１４０１であって、ログイン部１４２０と、アドバイス等取得部１４２１と、アドバイス等出力部１４２２と、クライアント側履行状況情報取得部１４２３と、履行状況情報送信部１４２４と、を有するクライアント端末１４０１と、からなり、さらにクライアント端末にカメラ１４２５を有する。ここで、浴室１４０５に隣接した脱衣室１４０４内にクライアント端末１４０１が常設されており、脱衣室内には洗面台などが設置され、鏡１４０２が備えられている。以下では、実施形態１との共通の構成は説明を省略し、本実施形態２に特徴的な構成について説明する。
＜実施形態２  構成の説明＞
＜実施形態２  クライアント側履行状況情報取得部：カメラ＞
【００６８】
「クライアント側履行状況情報取得部」１４２３は、鏡に対向する人を撮影可能に設置されたディジタルカメラ１４２３である。ディジタルカメラとしてはＣＭＯＳタイプやＣＣＤタイプのものが利用できる。また、脱衣室内の照度はカメラの撮影に支障がない程度の明るさが確保できているものとする。以下、このディジタルカメラの設置について説明する。鏡１４０２が通常のミラーの場合は、レンズ１４０６を有する鏡１４０２に対向する人を撮影可能なように鏡の裏側にカメラ１４２５を内蔵させることができる。図１５の例ではカメラのレンズ１５０３が鏡から見えている。ただし、鏡の裏側に設置したカメラのレンズが外からは見えないように構成することも考えられる。すなわちマジックミラーのように構成するのである。また、クライアント端末とは別体として鏡に対向する人の姿や人の部分画像や映像を撮影可能な場所にディジタルカメラを設置してもよい。さらに、カメラは有線でも無線でも利用できる。有線の場合はＬＡＮインターフェースやＵＳＢインターフェースが利用できる。無線の場合は、無線ＬＡＮインターフェースやブルートゥース（登録商標）インターフェース、ＩｏＴインターフェース等が利用できる。
【００６９】
図１５に示すように、例えば洗面台の鏡の裏側にカメラが内蔵され、鏡の前に立ったクライアントが撮影可能な状態を示している。そして、洗面台の鏡の近くにクライアント端末が設置され、アドバイザー（専門家）からのアドバイスとクライアントから取得された履行状況情報がクライアント端末の表示画面に表示される。ディジタルカメラの画像認識機能により、過去のクライアントの体型比較などを行い、アドバイザーによるアドバイスが適切な情報として提供できるようになる。また、体の全体を撮影するためにクライアントに対して、鏡の前で体を一回転させるように指示する音声を出力するように構成することが考えられる。また、音声指示に従わないリスクを考えて、鏡側からのみでなく、鏡の前に立つ人の後ろ側にもカメラを設けて体の全体が撮影できるように構成することも考えられる。さらに、鏡に対面しているクライアントの左右側面側にもカメラを設置し、都合、４台のカメラでクラインアントを撮影するように構成するとなお履行状況情報の取得精度が高まる。
【００７０】
さらに履行状況情報取得部はカメラとともに、又はカメラに代えてレーザー測定装置を備えるように構成してもよい。レーザー測定装置によってクライアントの体の三次元情報を取得し、体の肉付きなどの情報を取得する。この場合にはカメラよりもより正確に体の情報を取得できるので、履行状況状情報の品質がさらに向上する。さらに履行状況教法取得部は画像認識機能を有し、クライアントの体の特定部位にフォーカスして映像などを取得するように構成してもよい。例えばクライアントの口腔内にフォーカスして口腔内の映像を高解像度で取得するように構成してもよい。従って履行状況情報取得部のカメラは単焦点レンズでなくフォーカス機能を備えたカメラであるとなおよい。
＜実施形態２  作用：ハードウェア的構成（アドバイス等出力装置）＞
【００７１】
実施形態２のアドバイス等出力装置の計算機のハードウェア構成は、実施形態１のアドバイス等出力装置の計算機のハードウェア構成と同様であるので、説明を省略する。
＜実施形態２  作用：ハードウェア的構成（クライアント端末）＞
【００７２】
図１６に示すように、クライアント端末の計算機の構成は、ＣＰＵ１６０１と、ＨＤＤ、ＲＯＭ等の不揮発性メモリ１６０２と、Ｄ−ＲＡＭ等の主メモリ１６０３と、インターフェース１６０４と、ネットワークインターフェース１６０５と、カメラインターフェースを含むセンサー入力インターフェース１６０６と、タッチ入力インターフェース１６０７と、画像入力インターフェース１６０８と、音声入力インターフェース１６０９と、ディスプレイインターフェース１６１０と、ソフトウェアキーボードインターフェース１６１１とから構成されている。不揮発性メモリ１６０２には、カメラ入力サブプログラム等のプログラムが格納されている。データとしては、ログイン情報、アドバイス、アドバイザー（専門家）、履行状況情報、画像情報などがある。これらのプログラムやデータは、主メモリ１６０３の保持領域に読み込まれ、作業領域で実行される。その他の構成については、実施形態１の構成と同様であるので、説明を省略する。
＜実施形態２  処理の流れ  アドバイス等出力装置＞
【００７３】
図１７左図に示すアドバイス等出力装置の処理の流れは、実施形態１の図１３左図の処理の流れと同様であるので、説明を省略する。
＜実施形態２  処理の流れ  クライアント端末＞
【００７４】
図１７右図に示すクライアント端末の処理の流れは、クライアント側履行状況情報取得ステップ１７１４にカメラ入力サブステップ１７１５を有すること以外は実施形態１の図１３右図の処理の流れと同様であるので、説明を省略する。
このように、実施形態２によれば、実施形態１に加え、クライアント側履行状況情報取得部がディジタルカメラであるので、画像認識機能によりクライアントである患者の撮像情報から履行状況情報の取得が行えるようになるので、より適切なアドバイスが行えるようになる。
＜実施形態３＞
＜実施形態３  概要＞
【００７５】
実施形態３の発明は、内科医等のかかりつけ医である、医学的な診断、処置、処方等が可能な有資格者であるアドバイザーの勤務地に配置されるアドバイス等出力装置と、クライアントの住居等のトイレ内に常設されたクライアント端末からなるアドバイスシステムである。そして、アドバイス等出力装置はネットワーク（インターネット、ブロードバンド、モバイルネットワーク等も含まれる）を介して接続されている。例えば専門家である内科医がアドバイザーとなって、患者であるクライアントの内科疾患の治療効果を得るため、アドバイス等出力装置からクライアント端末を介して、家庭でも日々持続的に行う日々の服薬や食生活等の必要な努力を持続させるように専門家のアドバイザーが励ます（叱咤激励する）システムを構成している。ここで、クライアント端末は、クライアントの住居のトイレ内に常設されている。
＜実施形態３  構成＞
【００７６】
図１８に示すように、実施形態３のアドバイスシステムは、内科医等のかかりつけ医である、医学的な診断、処置、処方等が可能な有資格者であるアドバイザーの勤務地に配置されるアドバイス等出力装置１８００であって、クライアント登録部１８１０と、アドバイス登録部１８１１と、ひな型登録部１８１２と、履行状況情報取得部１８１３と、履行状況情報保存部１８１４と、選択部１８１５と、クライアント向情報発信部１８１６と、を有するアドバイス等出力装置１８００と、クライアントの住居等のトイレ内に常設されたクライアント端末１８０１であって、ログイン部１８２０と、アドバイス等取得部１８２１と、アドバイス等出力部１８２２と、クライアント側履行状況情報取得部１８２３と、履行状況情報送信部１８２４と、を有するクライアント端末１８０１と、からなる。アドバイス等出力装置１８００とクライアント端末１８０１とはネットワーク１８０２を介して接続されており、クライアント端末１８０１はトイレ１８０３に常設されている。
＜実施形態３  構成の説明＞
＜実施形態３  アドバイス等出力装置＞
【００７７】
「アドバイス等出力装置」１８００は、内科医等のかかりつけ医である、医学的な診断、処置、処方等が可能な有資格者であるアドバイザーの勤務地に配置される。アドバイス等出力装置１８００は、インターネット、ブロードバンド等のネットワーク１８０２を介して接続されている。ここで、内科医等とは、内科医、小児科医、耳鼻科医、産婦人科医等のその他のかかりつけ医が含まれる。アドバイザーとしては、内科医等のかかりつけ医であるので、医学的なアドバイスを受けられる。例えば、アドバイザーが内科医であれば、患者に対してのアドバイスとしては、日々の服薬や食生活に関する持続的に履行しなければならない日々の履行状況情報に基づくアドバイスのことを示唆するものであり、装置の各構成は実施形態１の構成と同様であるので、説明を省略する。
＜実施形態３  クライアント端末＞
【００７８】
「クライアント端末」１８０１は、クライアントの住居等のトイレ内に常設されたクライアント端末である。クライアント端末１８０１には、スマホ、携帯電話、タブレットＰＣ、ノートＰＣ、パソコン、ＡＩスピーカ、トイレに内蔵されるコンピュータ等も含まれる。ここで、トイレに内蔵されるコンピュータとは、例えば、トイレに設置される温水洗浄便座のコントロール部にクライアント端末の機能を組み込んだものをいう。温水洗浄便座のコントロール部は後付けのものであってもよい。なお、スマホ、携帯電話、タブレットＰＣ、ノートＰＣの場合にはトイレの壁や棚に設置場所を設けることが好ましい。また、トイレと洗面ユニットとを一体化したトイレ洗面ユニットの場合は、スマホ、携帯電話、タブレットＰＣ、ノートＰＣを洗面ユニットに設置してもよい。
＜実施形態３  クライアント側履行状況情報取得部＞
【００７９】
「クライアント側履行状況情報取得部」１８２３は、アドバイスに基づいて持続的に履行しなければならない日々の作業の履行状況情報を取得する。ここで、履行状況情報は、アドバイザーが内科医等のかかりつけ医であるので、基本的には実施形態１の医師や歯科医師の場合と同様である。また、クライアント端末の設置場所がトイレであるので、履行状況情報として日々の服薬や食生活等を反映した便尿から取得される生体情報が含まれる。履行状況情報として便尿から取得される生体情報を取得する場合には、上述したような温水洗浄便座に生体情報取得のためのセンサーを備えておき、クライアント側履行状況情報取得部１８２３はそのセンサーから患者の排泄物（便尿）から生体情報を取得することができる。例えば、温水洗浄ノズル様の棒の先端に尿センサーや大便センサーを備えておき、その尿センサーにおしっこがかかるような位置に調整させて取得できる。センサーから日々の服薬をきちんとしているか判断するために服薬中の薬の主要成分を検出したり、尿に糖が標準以上に出ていないか、尿にタンパクが標準以上に出ていないか等の生体情報（生体から採取した物に関する情報）を取得する。
【００８０】
また便座に温度計を設置して臀部の温度を計測し、アドバイスとしての体温を高めるための行為が履行されているか履行状況情報として取得したり、便座に非侵襲的に血液を光で測定するセンサーを設けて血圧や、心拍、血糖値、血液中の酸素濃度などを測定して血圧を下げるアドバイス、血糖値を下げるようなアドバイス、心拍を適切な範囲にするアドバイス、酸素を体内に多く取り込むようなアドバイス、に対する行為が正しく履行されているか履行状況情報として取得するように構成することが可能である。また、排便の重量を測定することによって便秘の改善に対するアドバイスに従った行為が正しく履行されているか履行状況情報を取得したり、便座に圧力計を設けて、正しい体重になるようなダイエットのアドバイスに対する行為が正しく履行されているか体重を履行状況情報として取得することも考えられる。
【００８１】
また、排便、排尿中の潜血をセンサーでセンシングして、腸や、肛門、胃などの出血が止まったかを判断して、体内出血に対する改善の行為が正しく履行されているかを履行状況情報として取得してもよい。さらに、便座に座った状態でクライアントの呼気を収集し、呼気に含まれている有機化合物を分析して、がんやそのほかの疾病の進行状況をガンに対する治癒行為が正しく行われているか判断する履行状況情報を取得するように構成してもよい。尿や便の体積や重量や密度を測定するためのセンサーを設けることも考えられる。例えば病院に設置されているトイレでこれらの情報を取得する場合にはその日、あるいは前日に摂取した食品、飲料と、排尿、排便との関連性からクライアントの体の消化器系に関する情報が取得できるので、消化器系が関連の履行状況情報を取得することができる。あるいは、食品、飲料に関する情報がない場合には、排尿、排便の情報を取得することによって、食品飲料の摂取に関する履行状況情報を取得することができる。例えばアドバイスとして一日の水分摂取量が定められている場合に排尿の量を計算することで水分摂取に関するアドバイスの履行状況情報を取得することができる。
【００８２】
このようにして、クライアント側履行状況情報取得部１８２３より取得した履行状況情報を履行状況情報送信部１８２４からアドバイス等出力装置１８００に送信する。例えば、アドバイザーが内科医で、患者がカゼで病院に通っていた場合は、内科医の指導による患者の病気の回復状況を診断し、それに応じたアドバイスを図４のひな型登録部のかぜの中から選択し、クライアントである患者へアドバイス等を発信することができる。
【００８３】
その他の構成は、実施形態１の構成と同様であるので、説明を省略する。
＜実施形態３  作用：ハードウェア的構成（アドバイス等出力装置）＞
【００８４】
図１９に示すアドバイス等出力装置１８００の計算機のハードウェア構成については、履行状況情報にクライアント（患者）の生体情報が含まれる以外は、実施形態１のハードウェア構成と同様であるので、説明を省略する。
＜実施形態３  作用：ハードウェア的構成（クライアント端末）＞
【００８５】
クライアント端末１８０１の計算機のハードウェア構成については、履行状況情報にクライアント（患者）の生体情報が含まれる以外は、実施形態１のハードウェア構成と同様であるので、説明を省略する。
＜実施形態３  処理の流れ  アドバイス等出力装置＞
【００８６】
図２０左図に示すアドバイス等出力装置の処理の流れは、実施形態１の図１３左図の処理の流れと同様であるので、説明を省略する。
＜実施形態３  処理の流れ  クライアント端末＞
【００８７】
図２０右図に示すクライアント端末の処理の流れは、実施形態１の図１３右図の処理の流れと同様であるので、説明を省略する。
【００８８】
このように、実施形態３によれば、実施形態１、２に加え、クライアント端末をトイレに常設したので、履行状況取得情報として日々の服薬や食生活等を反映した便尿から取得される生体情報を取得できるようになるので、内科医等のかかりつけ医から患者に対してより詳細なアドバイスを発信できるようになる。
＜実施形態４＞
＜実施形態４  概要＞
【００８９】
実施形態４の発明は、実施形態１の特徴に加えて、クライアント側履行状況情報取得部は、便器に設置されたセンサーであるアドバイスシステムを構成している。
＜実施形態４  構成＞
【００９０】
図２１に示すように、実施形態４のアドバイスシステムは、内科医等のかかりつけ医である、医学的な診断、処置、処方等が可能な有資格者であるアドバイザーの勤務地に配置されるアドバイス等出力装置２１００であって、クライアント登録部２１１０と、アドバイス登録部２１１１と、ひな型登録部２１１２と、履行状況情報取得部２１１３と、履行状況情報保存部２１１４と、選択部２１１５と、クライアント向情報発信部２１１６と、を有するアドバイス等出力装置２１００と、クライアントの住居等のトイレ内に常設されたクライアント端末２１０１であって、ログイン部２１２０と、アドバイス等取得部２１２１と、アドバイス等出力部２１２２と、クライアント側履行状況情報取得部２１２３と、履行状況情報送信部２１２４と、を有するクライアント端末２１０１と、からなる。アドバイス等出力装置２１００とクライアント端末２１０１とはネットワーク２１０３を介して接続されており、クライアント端末２１０１はトイレ２１０４に常設されており、トイレ２１０４の便器にクライアント側履行状況情報取得部としてセンサー２１２５が設置されている。以下では、実施形態３との共通の構成は説明を省略し、本実施形態４に特徴的な構成について説明する。
＜実施形態４  構成の説明＞
＜実施形態４  クライアント側履行状況情報取得部：センサー＞
【００９１】
「クライアント側履行状況情報取得部」２１２３は、便器２１０２に設置されたセンサー２１２５である。便器２１０２に設置されたセンサー２１２５によりクライアントとしての患者の日々の服薬や食生活等を反映した便尿から取得される生体情報を検出する。すなわち、トイレ２１０４の便器２１０２に排泄された大便や尿が溜まった汚水をセンサー２１２５により履行状況情報を取得する。また、センサー２１２５は、温水洗浄便座の温水洗浄ノズルの先端に設けて、位置調整可能なように制御して、大便や小便などの生体情報を検出してもよい。
【００９２】
クライアント側の履行状況情報取得の詳細は、上述したのでここでは詳細な説明は省略する。その他の構成は、実施形態３の構成と同様であるので、説明を省略する。
＜実施形態４  作用：ハードウェア的構成（クライアント端末）＞
【００９３】
図２２に示すように、クライアント端末の計算機の構成は、ＣＰＵ２２０１と、ＨＤＤ、ＲＯＭ等の不揮発性メモリ２２０２と、Ｄ−ＲＡＭ等の主メモリ２２０３と、インターフェース２２０４と、ネットワークインターフェース２２０５と、センサー入力インターフェース２２０６と、タッチ入力インターフェース２２０７と、画像入力インターフェース２２０８と、音声入力インターフェース２２０９と、ディスプレイインターフェース２２１０と、ソフトウェアキーボードインターフェース２２１１とから構成されている。不揮発性メモリ２２０２には、センサー入力サブプログラム等のプログラムが格納されている。データとしては、ログイン情報、アドバイス、アドバイザー（専門家）、履行状況情報、センサー情報などがある。これらのプログラムやデータは、主メモリ２２０３の保持領域に読み込まれ、作業領域で実行される。その他の構成については、実施形態１の構成と同様であるので、説明を省略する。
＜実施形態４  処理の流れ  アドバイス等出力装置＞
【００９４】
図２３左図に示すアドバイス等出力装置の処理の流れは、実施形態１の図１３左図の処理の流れと同様であるので、説明を省略する。
＜実施形態４  処理の流れ  クライアント端末＞
【００９５】
図２３右図に示すクライアント端末の処理の流れは、クライアント側履行状況情報取得ステップ２３１４に、センサー入力プログラムによるセンサー入力サブステップ２３１５を有する以外は、実施形態１の図１３右図の処理の流れと同様であるので、説明を省略する。
【００９６】
このように、実施形態４によれば、実施形態３に加え、クライアント側履行状況情報取得部がトイレの便器に設置されたセンサーであるので、そのセンサーによりクライアントである患者の生体情報から履行状況情報の取得が行えるようになるので、より適切なアドバイスが行えるようになる。
＜実施形態５＞
＜実施形態５  概要＞
【００９７】
実施形態５の発明は、実施形態１から４を基本としつつ、クライアント端末のアドバイス等出力部は、ディスプレイを備えているアドバイスシステムである。
＜実施形態５  構成＞
【００９８】
図２４に示すように、実施形態５のアドバイスシステムは、体に関して持続的に実行しなければならない日々の作業について後記クライアントに対してアドバイスをする専門家であるアドバイザーの勤務地に配置されるアドバイス等出力装置２４００であって、クライアント登録部２４１０と、アドバイス登録部２４１１と、ひな型登録部２４１２と、履行状況情報取得部２４１３と、履行状況情報保存部２４１４と、選択部２４１５と、クライアント向情報発信部２４１６と、を有するアドバイス等出力装置２４００と、クライアントの住居等の浴室に隣接して鏡が備えられた脱衣室内に常設されたクライアント端末２４０１であって、ログイン部２４２０と、アドバイス等取得部２４２１と、ディスプレイ２４２２を備えているアドバイス等出力部２４２２と、クライアント側履行状況情報取得部２４２３と、履行状況情報送信部２４２４と、を有するクライアント端末２４０１と、からなる。アドバイス等出力装置２４００は、クライアント端末２４０１とネットワーク２４０３を介して接続される。浴室２４０５に隣接して鏡２４０２が備えられた脱衣室２４０４にクライアント端末２４０１が常設されている。以下では、実施形態１から４との共通の構成は説明を省略し、本実施形態５に特徴的な構成について説明する。
＜実施形態５  構成の説明＞
＜実施形態５  アドバイス等出力装置＞
【００９９】
アドバイス等出力装置２４００の構成は、実施形態１の構成と同様であるので、説明を省略する。
＜実施形態５  クライアント端末＞
【０１００】
クライアント端末２４０１の構成は、アドバイス等出力部２４２２にディスプレイ２４２５を備えていること以外は、実施形態１の構成と同様であるので、説明を省略する。
＜実施形態５  アドバイス等出力部：ディスプレイ＞
【０１０１】
「ディスプレイ」２４２５は、クライアント端末のアドバイス等出力部２４２２に備えられている。ディスプレイ２４２５としては、スマートフォンディスプレイ、ディジタルミラーディスプレイ、防水ディスプレイ、鏡にもなるディタルテレビ、タッチディスプレイなどが挙げられる。これらのディスプレイにはアドバイス出力部から出力されたアドバイス等が表示される。
＜実施形態５  アドバイス等出力装置：ディスプレイの応用：宣伝広告＞
【０１０２】
本発明のアドバイスシステムは広告サーバをさらに有していてもよい。広告サーバは、クライアント端末又は、アドバイス等出力装置２４００からクライアントに固有な情報を取得して、その情報に対応する広告をクライアント端末のディスプレイを介して出力するように構成できる。固有な情報とは、例えばクライアントに対するアドバイスの種類、アドバイスの文脈解析結果、履行状況情報などの一以上の組合せである。例えばアドバイスに対してその履行状況が芳しくない場合には、そのアドバイスを積極的に実施するために有用な商品をクライアントに紹介するためにディスプレイにその宣伝広告を出力する。例えば、歯磨きを夜欠かさずすることがアドバイスであるにもかかわらず、子供であるクライアントがそれを履行できないような場合には子供向けに適している歯磨き剤を宣伝広告するようなケースである。広告サーバには、アドバイスの種類、アドバイスの文脈、履行状況情報、クライアント属性の組合せに応じて出力すべき宣伝広告がデータベースとして蓄積されているとよい。
【０１０３】
また、ビジネスモデルとしては、商品の購入などが実際に行われた場合にはそのクライアントにアドバイスをしているアドバイザーに対して謝礼としての金銭を支払うように構成することも考えられる。つまり、アドバイザーに対して何らかのインセンティブを与えるような構成である。例えば販売された商品の金額の一定割合をアドバイザーに支払うように構成することができる。なお、広告に対して、実際の商品の購入もアドバイス等出力装置２４００のディスプレイを介して行うことができるようにされていることが好ましいい。例えばディスプレイがタッチパネル型であり、購入の意思表示をタッチパネルを介して行うことができるように構成されていると便利である。この場合には購入のためのクレジットカードの登録などは事前に広告サーバに済まされていると簡単に購入手続きを実行することができる。
【０１０４】
さらに広告サーバから他のショッピングサイトにクライアントを導くように構成してもよい。広告サーバで取り扱える商品がない場合、又は、さらに豊富な商品がショッピングサイトにあるような場合である。
＜実施形態５  作用：ハードウェア的構成（アドバイス等出力装置）＞
【０１０５】
実施形態５のアドバイス等出力装置の計算機のハードウェア構成は、実施形態１のアドバイス等出力装置の計算機のハードウェア構成と同様であるので、説明を省略する。
＜実施形態２  作用：ハードウェア的構成（クライアント端末）＞
【０１０６】
図２５に示すように、クライアント端末の計算機の構成は、ＣＰＵ２５０１と、ＨＤＤ、ＲＯＭ等の不揮発性メモリ２５０２と、Ｄ−ＲＡＭ等の主メモリ２５０３と、インターフェース２５０４と、ネットワークインターフェース２５０５と、センサー入力インターフェース２５０６と、タッチ入力インターフェース２５０７と、画像入力インターフェース２５０８と、音声入力インターフェース２５０９と、ディスプレイインターフェース２５１０と、ソフトウェアキーボードインターフェース２５１１とから構成されている。不揮発性メモリ２５０２には、ディスプレイ表示サブプログラム等のプログラムが格納されている。データとしては、ログイン情報、アドバイス、アドバイザー（専門家）、履行状況情報などがある。これらのプログラムやデータは、主メモリ２５０３の保持領域に読み込まれ、作業領域で実行される。その他の構成については、実施形態１の構成と同様であるので、説明を省略する。
＜実施形態５  処理の流れ  アドバイス等出力装置＞
【０１０７】
図２６左図に示すアドバイス等出力装置の処理の流れは、実施形態１の図１３左図の処理の流れと同様であるので、説明を省略する。
＜実施形態２  処理の流れ  クライアント端末＞
【０１０８】
図２６右図に示すクライアント端末の処理の流れは、アドバイス等出力ステップ２６１３にディスプレイ表示サブステップ２６１４を有すること以外は実施形態１の図１３右図の処理の流れと同様であるので、説明を省略する。
【０１０９】
このように、実施形態５によれば、実施形態１から４に加え、アドバイス等出力部にディスプレイを備えているので、ディスプレイ表示機能によりクライアントである患者に対して日々の持続的な作業を快適に行えるように、叱咤激励するアドバイスを文字・画像、動画などの映像を表示することができるので、イメージ的に作業が理解でき、日々の持続効果を維持することができるようになる。
＜実施形態６＞
＜実施形態６  概要＞
【０１１０】
実施形態６の発明は、実施形態５を基本としつつ、アドバイス等出力装置の前記ひな型登録部は、アドバイス等のひな型としてコンテンツを登録したコンテンツ登録手段を有するアドバイスシステムである。
＜実施形態６  構成＞
【０１１１】
図２７に示すように、実施形態６のアドバイスシステムは、体に関して持続的に実行しなければならない日々の作業について後記クライアントに対してアドバイスをする専門家であるアドバイザーの勤務地に配置されるアドバイス等出力装置２７００であって、クライアント登録部２７１０と、アドバイス登録部２７１１と、ひな型登録部２７１２と、履行状況情報取得部２７１３と、履行状況情報保存部２７１４と、選択部２７１５と、クライアント向情報発信部２７１６と、を有するアドバイス等出力装置２７００と、クライアントの住居等の浴室に隣接して鏡が備えられた脱衣室内に常設されたクライアント端末２７０１であって、ログイン部２７２０と、アドバイス等取得部２７２１と、アドバイス等出力部２７２２と、クライアント側履行状況情報取得部２７２３と、履行状況情報送信部２７２４と、ディスプレイ２７２５と、を有するクライアント端末２４０１と、からなる。アドバイス等出力装置２７００のひな型登録部２７１２はコンテンツ登録手段２７１７を有する。そして、アドバイス等出力装置２４００は、クライアント端末２４０１とネットワーク２４０３を介して接続される。浴室２４０５に隣接して鏡２４０２が備えられた脱衣室２４０４にクライアント端末２４０１が常設されている。以下では、実施形態５との共通の構成は説明を省略し、本実施形態６に特徴的な構成について説明する。
【０１１２】
コンテンツの例としては歯磨きであれば歯磨きの際の:ブラシの動かし方を映像で示すものや、整体などの場合には体の整体をする手順を示す動画であったり、医療関係の場合には薬の飲み方、医療関連器具の利用の仕方（例えばぜんそく薬の注入道具の利用方法など）を示すビデオなどを挙げることができる。さらに、クライアントのアドバイスに対する理解を深めるためにクイズ形式のコンテンツであったり（ディスプレイのタッチパネルを利用してクライアントに回答させる）、実際の医療現場での施術の様子を示す実写ビデオであったりする。その他、コンテンツは検索型のものであってよく、クライアントからのアドバイスに対する質問の入力を受け付け、アドバイス等出力装置に備えらえれたデータベースを検索して質問に対する回答をアドバイス等出力装置から出力するように構成してもよい。
＜実施形態６  構成の説明＞
＜実施形態６  アドバイス等出力装置＞
＜実施形態６  ひな型登録部：コンテンツ登録手段＞
【０１１３】
「ひな型登録部」２７１２は、アドバイス等のひな型としてコンテンツを登録したコンテンツ登録手段２７１７を有する。ここで、コンテンツとは、文字のコンテンツ、各種静止画像コンテンツ、動画（映像）コンテンツなどが挙げられる。ひな型としてのコンテンツは、アドバイザー毎にアドバイスパターンが登録されている。基本コンテンツは、医師、歯科医師、美容師、スタイリスト、整体師、各種インストラクター（ヨガインストラクター、ダイエットインストラクター、マインドフルネスインストラクター等）による映像コンテンツである。それぞれの専門家であるアドバイザーが映像によるアドバイスを複数登録しておく。アドバイザーが歯科医師であれば、歯周疾患（歯周病）、う蝕（虫歯）、歯髄炎、抜歯、補綴、義歯などの歯科疾患ごとにアドバイスが考えられる。そして、クライアントの歯科疾患状況のレベルごとに作り分けて、疾患レベル応じてアドバイスを選択できるようにする。文字画像などのコンテンツでも良い。または、ＡＩスピーカなどのディスプレイがない場合は、音声などのコンテンツも考えられる。
これらのコンテンツをクライアント端末２７０１側のアドバイス等出力部２７２２に備えられたディスプレイ２７２５に表示させ、日々の持続的にしなければならない作業に対して、叱咤激励するアドバイスをクライアント端末に送信するものである。
＜実施形態６  作用：ハードウェア的構成（アドバイス等出力装置）＞
【０１１４】
図２８に示すように、アドバイス等出力装置の計算機の構成は、ＣＰＵ２８０１と、ＨＤＤ、ＲＯＭ等の不揮発性メモリ２８０２と、Ｄ−ＲＡＭ等の主メモリ２８０３と、インターフェース２８０４と、ネットワークインターフェース２８０５と、ディスプレイインターフェース２８０６と、ディスクインターフェース２８０７と、キーボードインターフェース２８０８とから構成されている。不揮発性メモリ２８０２にはコンテンツ登録部プログラム等のプログラムが格納されている。データとしては、クライアント識別情報、アドバイス、アドバイザー（専門家）、ひな型、コンテンツ、履行状況情報などがある。これらのプログラムやデータは、主メモリ２８０３の保持領域に読み込まれ、作業領域で実行される。
＜実施形態６  作用：ハードウェア的構成（クライアント端末）＞
【０１１５】
クライアント端末２８０１の計算機の構成は、実施形態５の図２５の構成と同様であるので、説明を省略する。
【０１１６】
このように、実施形態６によれば、実施形態５に加え、ニュースなどの文字のコンテンツ、各種静止画像コンテンツ、動画（映像）コンテンツなどのコンテンツをクライアント端末のアドバイス等出力部に備えられたディスプレイに表示させ、日々の持続的にしなければならない作業に対して、叱咤激励するアドバイスや作業を映像でわかりやすく説明できるようなアドバイスを発信することができる。
＜実施形態７＞
＜実施形態７  概要＞
【０１１７】
実施形態７の発明は、実施形態１から６を基本としつつ、クライアント端末側がクライアントからアドバイス要求を受け付け、受け付けたアドバイス等要求に基づいた選択をさせるための選択情報をアドバイス等出力装置に送信し、アドバイス等出力装置が受信した選択情報に基づいて選択部を制御してアドバイス等をクライアント端末に発信するアドバイスシステムである。
＜実施形態７  構成＞
【０１１８】
図２９に示すように、実施形態７のアドバイスシステムは、体に関して持続的に実行しなければならない日々の作業について後記クライアントに対してアドバイスをする専門家であるアドバイザーの勤務地に配置されるアドバイス等出力装置２９００であって、クライアント登録部２９１０と、アドバイス登録部２９１１と、ひな型登録部２９１２と、履行状況情報取得部２９１３と、履行状況情報保存部２９１４と、選択部２９１５と、クライアント向情報発信部２９１６と、を有するアドバイス等出力装置２９００と、クライアントの住居等の浴室に隣接して鏡が備えられた脱衣室内に常設されたクライアント端末２９０１であって、ログイン部２９２０と、アドバイス等取得部２９２１と、アドバイス等出力部２９２２と、クライアント側履行状況情報取得部２９２３と、履行状況情報送信部２９２４と、を有するクライアント端末２９０１と、からなる。
【０１１９】
さらに、クライアント端末２９０１は、アドバイス等要求受付部２９２５と、選択情報出力部２９２６と、を有し、アドバイス等出力装置２９００は、選択情報受信部２９１７と、制御部２９１８と、を有する。そして、クライアント端末２９０１とアドバイス等出力装置２９００とがネットワーク２９０３を介して接続され、浴室２９０５に隣接して鏡２９０２が備えられた脱衣室２９０４内にクライアント端末２９０１が常設されている。以下では、実施形態１から６との共通の構成は説明を省略し、本実施形態７に特徴的な構成について説明する。
＜実施形態７  構成の説明＞
＜実施形態７  クライアント端末＞
＜実施形態７  アドバイス等要求受付部＞
【０１２０】
「アドバイス等要求受付部」２９２５は、アドバイス等の要求であるアドバイス等要求を受け付ける。クライアントはクライアント端末２９０１側からアドバイス等出力装置２９００側のアドバイザーに対してアドバイス等の要求を出すことができる。このような場合、アドバイス等要求受付部２９２５がそのアドバイス等要求の受付処理を行う。例えば、アドバイザーが歯科医師の場合、クライアントとしての患者が虫歯（う蝕）の痛み止めの薬を処方してもらったようなケースを考える。痛み止めの薬を食後に飲めばよいか、いつ飲んでもよいかがわからなくなった。そのような場合、患者はアドバイザーにアドバイスを求めることができる。アドバイス等要求は、選択肢を選択させる方法でアドバイス等を要求してもよいし、自然言語の流し書きスタイルで必要なアドバイスを求めるものであってもよい。選択肢で選択される場合にはあらかじめその選択肢に対応したアドバイスがアドバイス等出力装置に蓄積されていればよい。一方、自然言語スタイルでアドバイス要求がある場合には文脈解析を利用して適切なアドバイスを蓄積情報から選択するように構成すればよい。これらの要求は音声による要求であってもよいし、テキスト入力による要求であってもよい。また身体障害者がクライアントである場合には例えば手話、口パク、ジェスチャー、体の一部を動かす動作（例えば目を閉じる、目を開く）などによって入力されるものであってもよい。
＜実施形態７  選択情報出力部＞
【０１２１】
「選択情報出力部」２９２６は、受け付けたアドバイス等要求に基づいたアドバイス等出力装置の選択部２９１５に選択をさせるための選択情報をアドバイス等出力装置２９００に出力する。上記のケースでは、選択情報として「う蝕」と「痛み止めの薬」の情報をネットワーク２９０３を介してアドバイス等出力装置２９００へ送信する。
＜実施形態７  アドバイス等出力装置＞
＜実施形態７  選択情報受信部＞
【０１２２】
「選択情報受信部」２９１７は選択情報を受信する。クライアント端末２９０１からの選択情報は選択情報受信部２９１７経由で選択情報受信部２９１７により受信する。例えば、「う蝕」と「痛み止めの薬」の選択情報である。
＜実施形態７  制御部＞
【０１２３】
「制御部」２９１８は受信した選択情報に基づいて選択部２９１５を制御する。制御部２９１８は選択情報である「う蝕」、「痛み止めの薬」をキーにして選択部２９１５を制御し、ひな型登録部２９１２からひな型を選択する。
＜実施形態７  作用：ハードウェア的構成（アドバイス等出力装置）＞
【０１２４】
図３０に示すように、アドバイス等出力装置の計算機の構成は、ＣＰＵ３００１と、ＨＤＤ、ＲＯＭ等の不揮発性メモリ３００２と、Ｄ−ＲＡＭ等の主メモリ３００３と、インターフェース３００４と、ネットワークインターフェース３００５と、ディスプレイインターフェース３００６と、ディスクインターフェース３００７と、キーボードインターフェース３００８とから構成されている。不揮発性メモリ３００２には選択情報受信プログラム、制御プログラム等のプログラムが格納されている。データとしては、クライアント識別情報、アドバイス、アドバイザー（専門家）、ひな型、履行状況情報、選択情報などがある。これらのプログラムやデータは、主メモリ３００３の保持領域に読み込まれ、作業領域で実行される。その他の構成については、実施形態１の構成と同様であるので、説明を省略する。
＜実施形態７  作用：ハードウェア的構成（クライアント端末）＞
【０１２５】
図３１に示すように、クライアント端末の計算機の構成は、ＣＰＵ３１０１と、ＨＤＤ、ＲＯＭ等の不揮発性メモリ３１０２と、Ｄ−ＲＡＭ等の主メモリ３１０３と、インターフェース３１０４と、ネットワークインターフェース３１０５と、センサー入力インターフェース３１０６と、タッチ入力インターフェース３１０７と、画像入力インターフェース３１０８と、音声入力インターフェース３１０９と、ディスプレイインターフェース３１１０と、ソフトウェアキーボードインターフェース３１１１とから構成されている。不揮発性メモリ３１０２には、アドバイス等要求受付プログラム、選択情報出力プログラム等のプログラムが格納されている。データとしては、ログイン情報、アドバイス、アドバイザー（専門家）、履行状況情報などがある。これらのプログラムやデータは、主メモリ３１０３の保持領域に読み込まれ、作業領域で実行される。その他の構成については、実施形態１の構成と同様であるので、説明を省略する。
＜実施形態７  処理の流れ  クライアント端末＞
【０１２６】
図３２右図に示すように、クライアント端末側では、まずログインプログラムによりクライアントとしてアドバイス等出力装置にログインするログインステップを実行する（ステップ３２１１）。ログインステップ３２１１では、ログイン情報として、クライアントＩＤとパスワードを入力することによりアドバイス等出力装置にアクセスする。
【０１２７】
次にアドバイス等要求受付プログラムによりアドバイス等の要求であるアドバイス等要求を受け付けるアドバイス等要求受付ステップを実行する（ステップ３２１２）。アドバイス等要求については上述したので、ここでは説明を省略する。
【０１２８】
次に選択情報出力プログラムにより受け付けたアドバイス等要求に基づいたアドバイス等出力装置の選択部に選択をさせるための選択情報をアドバイス等出力装置に出力する選択情報出力ステップを実行する（ステップ３２１３）。
【０１２９】
次にアドバイス等出力プログラムにより取得したアドバイス等を出力するアドバイス等出力ステップを実行する（ステップ３２１３）。
＜実施形態７  処理の流れ  アドバイス等出力装置＞
【０１３０】
図３２左図に示すように、選択情報受信プログラムにより選択情報を受信する選択情報受信ステップを実行する（ステップ３２０１）。ここで、選択情報については上述したので、説明を省略する。
次に制御プログラムにより受信した選択情報に基づいて選択部を制御する制御ステップを実行する（ステップ３２０２）。
次に選択プログラムにより制御ステップ３２０２の制御の下、選択情報に応じてひな型登録部に登録されているひな型を選択する選択ステップを実行する（ステップ３２０３）。
次にクライアント向情報発信プログラムにより選択されたひな型に基づいてクライアント端末にアドバイス等を発信するクライアント向情報発信ステップを実行する（ステップ３２０４）。
【０１３１】
上述したステップを終了するまで（ステップ３２０５）、ステップ３２０１から３２０４の処理を繰り返す。
【０１３２】
このようにして、クライアント端末からアドバイス等要求の選択情報をアドバイス等出力装置に送信し、アドバイス等出力装置から選択情報に応じたアドバイス等を受信することができる。
【０１３３】
このように、実施形態７によれば、実施形態１から６に加え、クライアント端末からクライアントが要求するアドバイス等を受信できるので、よりクライアントの希望に沿ったアドバイスを受け取ることができるので、体に関して持続的にしなければならない日々の作業について維持継続させる効果を奏する。
＜実施形態８＞
＜実施形態８  概要＞
【０１３４】
実施形態８の発明は、実施形態１から７のアドバイスシステムにおける体に対して持続的に実行する前記作業に関連する装置であって、クライアント端末のクライアント側履行状況情報取得部に対して履行状況情報を生成して出力する作業関連装置である。作業関連装置としては、歯ブラシ、櫛、トレーニングマシンなどが挙げられ、歯ブラシや櫛は体に関する動きを検出するセンサ（３次元加速度センサ等）が備えられている。この作業関連装置は、クライアント端末が常設されている脱衣室等において使用されるものである。
＜実施形態８  構成＞
【０１３５】
図３３に示すように、実施形態８の作業関連装置は、体に対して持続的に実行する前記作業に関連する装置３３０６、３３０７、・・・３３０ｎ（ｎ台）であって、履行状況情報生成部３３３０と、履行状況情報出力部３３３１と、を有する作業関連装置３３０６、３３０７、・・・３３０ｎである。作業関連装置は、歯ブラシ、櫛、トレーニングマシン等であり、歯ブラシや櫛には、動きを検出するセンサ（３次元加速度センサー）がそれらを使用する際に支障がない位置に備えられており、それらのセンサーの機能として履行状況情報生成部３３３０と履行状況情報出力部３３３１とを有し、作業関連装置を構成している。トレーニングマシンでは、履行状況情報生成部３３３０と履行状況情報出力部３３３１を内蔵して作業関連装置を構成している。
【０１３６】
これらの作業関連装置は、有線通信または無線通信によりクライアント端末３３０１のクライアント側履行状況情報取得部３３２３に接続され、生成した履行状況情報をクライアント側履行状況情報取得部３３２３へ送信する。小形の作業関連装置では、無線通信が望ましい。大形の作業関連装置では、有線通信又は無線通信のどちらでもよい。無線通信としては、例えば、ブルートゥース（登録商標）などの近距離無線通信が利用できる。その他の無線通信としては、無線ＬＡＮや無線ＷｉＦｉなどが利用できる。有線通信としては、例えばＬＡＮインターフェースやＵＳＢインターフェースをケーブル接続した通信が利用できる。また、作業関連装置はＩｏＴインターフェースによりクライアント端末３３０１と通信する構成でもよい。
図３３におけるアドバイス等出力装置３３００の各部の構成とクライアント端末３３０１の各部の構成については、実施形態１の図１の構成と同様であるので、説明を省略する。
＜実施形態８  構成の説明＞
【０１３７】
「履行状況情報生成部」３３３０は、履行状況情報を自身に対するクライアントの動作に基づいて生成する。例えば、作業関連装置が歯ブラシの場合について説明する。歯ブラシの持ち手の先端部分に小形の３次元加速度センサーがシリコンゴムなどで覆われたケースをフィット（外れないように取り付ける）させて作業関連装置を構成する。小型のボタン電池等で電源を供給する。クライアントがそのように構成された歯ブラシで歯をブラッシングすると、その情報が履行状況情報として履行状況情報生成部３３３０より生成される。
【０１３８】
「履行状況情報出力部」３３３１は、生成された履行状況情報をクライアント端末の履行状況情報取得部３３２３に出力する。例えば、作業関連装置が上記の歯ブラシの場合はブルートゥース（登録商標）通信により生成された履行状況情報を履行状況情報取得部３３２３に送信する。
＜実施形態８  作用：ハードウェア的構成（作業関連装置）＞
【０１３９】
図３４に示すように、作業関連装置の計算機の構成は、ＣＰＵ３４０１と、ＨＤＤ、ＲＯＭ等の不揮発性メモリ３４０２と、Ｄ−ＲＡＭ等の主メモリ３４０３と、インターフェース３４０４と、ネットワークインターフェース３４０５と、センサー入力インターフェース３１０６と、画像入力インターフェース３４０８とから構成されている。不揮発性メモリ３４０２には、履行状況情報生成プログラム、履行状況情報出力プログラム等のプログラムが格納されている。データとしては、作業、履行状況情報などがある。これらのプログラムやデータは、主メモリ３４０３の保持領域に読み込まれ、作業領域で実行される。
＜実施形態８  処理の流れ  アドバイス等出力装置＞
【０１４０】
図３５左図に示すアドバイス等出力装置の処理の流れは、実施形態１の図１３左図の処理の流れと同様であるので、説明を省略する。
＜実施形態８  処理の流れ  クライアント端末＞
【０１４１】
図３５真ん中に示すクライアント端末の処理の流れは、実施形態１の図１３右図の処理の流れと同様であるので、説明を省略する。
＜実施形態８  処理の流れ  作業関連装置＞
【０１４２】
図３５右図に示すように、履行状況情報生成プログラムにより履行状況情報を自身に対するクライアントの動作に基づいて生成する履行状況情報生成ステップを実行する（ステップ３５２１）。
次に履行状況情報出力プログラムにより生成された履行状況情報をクライアント端末の履行状況情報取得部に出力する履行状況情報出力ステップを実行する（ステップ３５２２）。
【０１４３】
上述したステップを終了するまで（ステップ３５２３）、ステップ３５２１、３５２２の処理を繰り返す。
【０１４４】
このようにして、作業関連装置から生成された履行状況情報をクライアント端末の履行状況情報取得部へ出力するので、クライアント端末は自動的に履行状況情報を取得することができる。以後の処理は、実施形態１の処理と同様である。
＜実施形態９＞
＜実施形態９  概要＞
【０１４５】
実施形態９の発明は、実施形態８を基本としつつ、作業関連装置にＩｏＴ通信機能を備えた.ものである。作業関連装置にＩｏＴ通信機能を備えているので、作業関連装置はクライアント端末との通信により履行状況情報を送ってもよく、作業関連装置からネットワーク経由で直接に履行状況情報をアドバイス等出力装置に送信することができる。
＜実施形態９  構成＞
【０１４６】
図３６に示すように、実施形態９の作業関連装置は、体に対して持続的に実行する前記作業に関連する装置３６０６、３６０７、・・・３６０ｎ（ｎ台）であって、履行状況情報生成部３６３０と、履行状況情報出力部３６３１と、ＩｏＴ通信部３６３２と、を有する作業関連装置３６０６、３６０７、・・・３６０ｎである。作業関連装置の具体例については、実施形態８で説明したので、ここでは説明を省略する。
【０１４７】
図３６におけるアドバイス等出力装置３６００の各部の構成とクライアント端末３６０１の各部の構成については、実施形態１の図１の構成と同様であるので、説明を省略する。
＜実施形態９  構成の説明＞
【０１４８】
「ＩｏＴ通信部」３６３２は、履行状況情報出力部３６３１から出力される履行状況情報をＩｏＴ通信部３６３２によりクライアント端末のクライアント側履行状況情報取得部３６２３に送信する。実施形態９の作業関連装置は、ＩｏＴ通信部３６３２を有しているので、ネットワーク３６０３経由で直接アドバイス等出力装置３６００に接続し、履行状況情報を送信することもできる。このようにすれば、多数の履行状況情報を取得することができるので、それらの多数のデータをビッグデータとしてディスク等に蓄積し、ＡＩ（人工知能）の解析に利用することができる。
＜実施形態９  作用：ハードウェア的構成（作業関連装置）＞
【０１４９】
図３７に示すように、作業関連装置の計算機の構成は、ＣＰＵ３７０１と、ＨＤＤ、ＲＯＭ等の不揮発性メモリ３７０２と、Ｄ−ＲＡＭ等の主メモリ３７０３と、インターフェース３７０４と、ネットワークインターフェース３７０５と、センサー入力インターフェース３７０６と、画像入力インターフェース３７０８とから構成されている。不揮発性メモリ３７０２には、ＩｏＴ通信プログラム等のプログラムが格納されている。データとしては、作業、履行状況情報などがある。これらのプログラムやデータは、主メモリ３７０３の保持領域に読み込まれ、作業領域で実行される。他のプログラムは、実施形態８の構成と同様であるので、説明を省略する。
＜実施形態９  処理の流れ  アドバイス等出力装置＞
【０１５０】
図３８左図に示すアドバイス等出力装置の処理の流れは、実施形態１の図１３左図の処理の流れと同様であるので、説明を省略する。
＜実施形態９  処理の流れ  クライアント端末＞
【０１５１】
図３８真ん中に示すクライアント端末の処理の流れは、実施形態１の図１３右図の処理の流れと同様であるので、説明を省略する。
＜実施形態９  処理の流れ  作業関連装置＞
【０１５２】
図３８右図に示すように、履行状況情報生成プログラムにより履行状況情報を自身に対するクライアントの動作に基づいて生成する履行状況情報生成ステップを実行する（ステップ３８２１）。
次に履行状況情報出力プログラムにより生成された履行状況情報をクライアント端末の履行状況情報取得部に出力する履行状況情報出力ステップを実行する（ステップ３８２２）。
次にＩｏＴ通信プログラムによりクライアント端末のクライアント側履行状況情報取得部に送信するＩｏＴ通信ステップを実行する（ステップ３８２３）。ここで、作業関連装置がＩｏＴ通信部を有しているので、ネットワーク３６０３を経由してインターネット等に接続し、アドバイス等出力装置へ履行状況情報を送信することができる。
【０１５３】
上述したステップを終了するまで（ステップ３８２４）、ステップ３８２１から３８２３の処理を繰り返す。
【０１５４】
このようにして、作業関連装置から生成された履行状況情報をＩｏＴ通信によりクライアント端末の履行状況情報取得部へ送信したり、アドバイス等出力装置へ送信することができるので、データの活用範囲が広がる。
【０１５５】
このように、実施形態１から９によれば、クライアントから持続的に実行しなければならない日々の作業についてクライアントに過度の負担をかけることなく履行状況情報を取得でき、体に関して持続的に実行しなければならない日々の作業について専門家からクライアントに対して叱咤激励して持続させるアドバイスを可能とするアドバイスシステムを提供することができる。
【符号の説明】
【０１５６】
０１００、０７０１  アドバイス等出力装置
０１０１  クライアント端末
０１０２  鏡
０１０３  ネットワーク
０１０４  脱衣室
０１０５  浴室
０１１０、０７０３  クライアント端末
０１１１  アドバイス登録部
０１１２  ひな型登録部
０１１３  履行状況情報取得部
０１１４  履行状況情報保存部
０１１５  選択部
０１１６  クライアント向情報発信部
０１２０  ログイン部
０１２１  アドバイス等取得部
０１２２  アドバイス等出力部
０１２３  クライアント側履行状況情報取得部
０１２４  履行状況情報送信部
０７０２  歯周病治療器
０７０４  スマホ（スマートフォン）
０７０５  クラウドネットワーク
【図１】
2019091360.tif 000003
【図２】
2019091360.tif 000004
【図３】
2019091360.tif 000005
【図４】
2019091360.tif 000006
【図５】
2019091360.tif 000007
【図６】
2019091360.tif 000008
【図７】
2019091360.tif 000009
【図８】
2019091360.tif 000010
【図９】
2019091360.tif 000011
【図１０】
2019091360.tif 000012
【図１１】
2019091360.tif 000013
【図１２】
2019091360.tif 000014
【図１３】
2019091360.tif 000015
【図１４】
2019091360.tif 000016
【図１５】
2019091360.tif 000017
【図１６】
2019091360.tif 000018
【図１７】
2019091360.tif 000019
【図１８】
2019091360.tif 000020
【図１９】
2019091360.tif 000021
【図２０】
2019091360.tif 000022
【図２１】
2019091360.tif 000023
【図２２】
2019091360.tif 000024
【図２３】
2019091360.tif 000025
【図２４】
2019091360.tif 000026
【図２５】
2019091360.tif 000027
【図２６】
2019091360.tif 000028
【図２７】
2019091360.tif 000029
【図２８】
2019091360.tif 000030
【図２９】
2019091360.tif 000031
【図３０】
2019091360.tif 000032
【図３１】
2019091360.tif 000033
【図３２】
2019091360.tif 000034
【図３３】
2019091360.tif 000035
【図３４】
2019091360.tif 000036
【図３５】
2019091360.tif 000037
【図３６】
2019091360.tif 000038
【図３７】
2019091360.tif 000039
【図３８】
2019091360.tif 000040